(57)【要約】  広告コンテンツを動的に選択するために有効なシステムおよび方法の技術を全般的に説明する。一例では、ターゲット知覚コンテンツおよび識別情報を、ターゲット広告ゾーンについて受け取ることができる。ターゲット知覚コンテンツおよび識別情報を解析して、ターゲット広告ゾーンの特徴を判定することができる。特徴が所定の関数の条件を満足することに基づいて、広告コンテンツのサブセットを判定することができる。いくつかの実施形態では、広告コンテンツを動的に選択することを、リモートコンピューティングデバイス上で実行することができる。他の実施形態は、ターゲット広告ゾーンでの消費のために広告コンテンツのサブセットをレンダリングすることができる。
2013522805.tif 000002
【特許請求の範囲】
【請求項１】
少なくとも１つのコンピューティングデバイスによって、ターゲット広告ゾーンの少なくとも第１部分に関連するターゲット知覚コンテンツを受け取ること、
前記少なくとも１つのコンピューティングデバイスによって、前記ターゲット広告ゾーンの少なくとも第２部分に関連する少なくとも１つのオブジェクトに関連する識別情報を受け取ること、
前記ターゲット広告ゾーンの少なくとも１つの特徴の少なくとも１つの値を判定することを含めて、前記ターゲット知覚コンテンツおよび前記識別情報を解析すること、
前記少なくとも１つの特徴の前記少なくとも１つの値が所定の関数の条件を満足したことに応答して、広告コンテンツのセットから広告コンテンツのサブセットを判定すること
を含む方法。
【請求項２】
前記ターゲット知覚コンテンツを受け取ることは、前記ターゲット広告ゾーンの少なくとも前記第１部分のイメージコンテンツを受け取ることを含む、請求項１に記載の方法。
【請求項３】
前記イメージコンテンツを受け取ることは、静止画像コンテンツ、ビデオフレームキャプチャコンテンツ、またはビデオコンテンツのうちの少なくとも１つを受け取ることを含む、請求項２に記載の方法。
【請求項４】
前記解析することは、前記ターゲット広告ゾーンの前記少なくとも１つの特徴の前記少なくとも１つの値を判定することを容易にするために、前記ターゲット知覚コンテンツ内で表される少なくとも１つの顔パターンを解析すること、前記ターゲット知覚コンテンツ内で表される少なくとも１つの網膜パターンを解析すること、前記ターゲット知覚コンテンツ内で表される少なくとも１つの虹彩パターンを解析すること、前記ターゲット知覚コンテンツ内で表される少なくとも１つの視覚凝視を解析すること、または前記ターゲット知覚コンテンツ内で表される個人の歩行を解析することのうちの少なくとも１つを含む、請求項２に記載の方法。
【請求項５】
前記少なくとも１つの視覚凝視を解析することは、視覚凝視に関連する前記ターゲット広告ゾーンのビューエリアを判定することを含む、請求項４に記載の方法。
【請求項６】
前記ビューエリアを判定することは、前記ビューエリアまたはその付近の少なくとも１つのオブジェクトを判定することを含む、請求項５に記載の方法。
【請求項７】
前記ビューエリアを判定することは、前記ビューエリアまたはその付近のプレゼンテーションインターフェースの少なくとも１つの見ることのできる領域を判定することを含む、請求項６に記載の方法。
【請求項８】
前記解析することは、前記少なくとも１つの特徴の前記少なくとも１つの値の関数として人間ではない動物を識別することまたは分類することを含む、請求項１に記載の方法。
【請求項９】
前記解析することは、前記少なくとも１つの特徴の前記少なくとも１つの値の関数として人間を識別することまたは分類することを含む、請求項１に記載の方法。
【請求項１０】
前記解析することは、前記ターゲット広告ゾーン内の複数のエンティティについて、前記複数のエンティティを伴わない前記ターゲット広告ゾーンの定義されたベースラインコンテンツ内に存在しない前記少なくとも１つの特徴の前記少なくとも１つの値を判定するために解析することを含む、請求項１に記載の方法。
【請求項１１】
前記ターゲット広告ゾーンの少なくとも前記第１部分に関連する前記ターゲット知覚コンテンツを受け取ることは、前記ターゲット広告ゾーンの少なくとも前記第１部分のオーディオコンテンツを受け取ることを含む、請求項１に記載の方法。
【請求項１２】
前記オーディオコンテンツを受け取ることは、イメージキャプチャデバイスに関連するマイクロホン、モバイル通信デバイスに関連するマイクロホン、モバイルコンピュータに関連するマイクロホン、モバイル通信アクセサリに関連するマイクロホン、マイクロホンの指向性アレイ、または外部マイクロホンのうちの少なくとも１つによって取り込まれたマイクロホンオーディオコンテンツを受け取ることを含む、請求項１１に記載の方法。
【請求項１３】
前記解析することは、個人の少なくとも１つのデータストアから前記ターゲット広告ゾーンの少なくとも１人の個人を識別することを容易にするために前記ターゲット知覚コンテンツ内で表される音声コンテンツを解析すること、少なくとも１つのサウンドの方向を判定するために前記サウンドを解析すること、前記ターゲット知覚コンテンツ内で表される少なくとも１つの言語を解析すること、前記ターゲット知覚コンテンツ内で表される少なくとも１つの方言を解析すること、前記ターゲット知覚コンテンツ内で表される少なくとも１つのストレスレベルを解析すること、または前記ターゲット広告ゾーンの少なくとも１人の個人の知覚を判定することを容易にするために、前記ターゲット知覚コンテンツ内で表される少なくとも１つの音量レベルを解析することのうちの少なくとも１つを含む、請求項１１に記載の方法。
【請求項１４】
少なくとも１つのオブジェクトに関連する前記識別情報を受け取ることは、ＲＦＩＤタグ、バーコード、マトリックスコード、多次元バーコード、加入者識別モジュール、拡張加入者識別モジュール、媒体アクセス制御アドレス、インターネットプロトコルアドレス、電子メールアドレス、またはメンバネットワーキングサービスのソーシャルグループに関連するユーザ名のうちの少なくとも１つを受け取ることを含む、請求項１に記載の方法。
【請求項１５】
前記識別情報を受け取ることは、オブジェクト情報を受け取ること、製品情報を受け取ること、インターネット検索履歴を受け取ること、個人プロファイルを受け取ること、個人プリファレンスを受け取ること、人口統計情報を受け取ること、購入履歴を受け取ること、広告応答履歴を受け取ること、プロビジョニング情報を受け取ること、または個人スケジュール情報を受け取ることのうちの少なくとも１つを含む、請求項１に記載の方法。
【請求項１６】
前記解析することは、前記ターゲット広告ゾーンの個人に関係する人口統計情報を判定すること、前記ターゲット広告ゾーンの個人の購入プリファレンスを判定すること、または前記ターゲット広告ゾーンの個人の履歴上の広告応答を判定することのうちの少なくとも１つを含む、請求項１に記載の方法。
【請求項１７】
前記識別情報を受け取ることは、前記ターゲット広告ゾーンの前記第１部分とは異なる前記ターゲット広告ゾーンの前記第２部分に関連する前記少なくとも１つのオブジェクトに関連する前記識別情報を受け取ることを含む、請求項１に記載の方法。
【請求項１８】
前記識別情報を受け取ることは、前記ターゲット広告ゾーンの前記第１部分とオーバーラップしない前記ターゲット広告ゾーンの部分に関連する前記少なくとも１つのオブジェクトに関連する前記識別情報を受け取ることを含む、請求項１に記載の方法。
【請求項１９】
広告コンテンツの前記サブセットを判定することは、前記ターゲット広告ゾーンまたはその付近にいることによって広告コンテンツを消費する位置にいる、前記ターゲット知覚コンテンツを解析することによって識別される少なくとも１人の個人に関連する所定のルールを満足する広告コンテンツを選択することをさらに含む、請求項１に記載の方法。
【請求項２０】
広告コンテンツの前記サブセットを判定することは、広告コンテンツに適当な年齢にコンテンツを制限すること、保護されたクラス指向の広告コンテンツにコンテンツを制限すること、広告コンテンツに関する所定のレベルの匿名性にコンテンツを制限すること、または許容できる広告コンテンツを定義する所定のルールに従うコンテンツにコンテンツを制限することをさらに含む、請求項１９に記載の方法。
【請求項２１】
動的に適合された広告コンテンツを見せる地域の少なくとも第１部分に関連する環境コンテンツを受け取るように構成された環境キャプチャコンポーネントと、
前記地域の少なくとも第２部分またはその付近の少なくとも１つのオブジェクト識別子に関連するオブジェクト情報を受け取るように構成されたオブジェクト識別コンポーネントと、
前記地域のパラメータのセットの少なくとも１つのパラメータ値を判定するために前記環境コンテンツおよびオブジェクト情報を解析するように構成されたパラメトリックコンポーネントと、
前記少なくとも１つのパラメータ値が所定のルールの条件を満足したことに応答して、広告コンテンツのセットから広告コンテンツのサブセットを判定するように構成された関心アナライザコンポーネントと
を含むシステム。
【請求項２２】
広告コンテンツの前記サブセットを提示するように構成されたプレゼンテーションインターフェースコンポーネントをさらに含む、請求項２１に記載のシステム。
【請求項２３】
前記プレゼンテーションインターフェースコンポーネントは、イメージインターフェース、ビデオインターフェース、オーディオインターフェース、触覚インターフェース、または嗅覚インターフェースを含む、請求項２２に記載のシステム。
【請求項２４】
前記環境キャプチャコンポーネントは、スチールカメラ、ビデオカメラ、またはビデオフレームキャプチャコンポーネントを含む、請求項２１に記載のシステム。
【請求項２５】
前記環境キャプチャコンポーネントは、外部マイクロホン、マイクロホンの指向性アレイ、ビデオカメラに付随するマイクロホン、モバイル通信デバイスマイクロホン、またはモバイルコンピューティングデバイスマイクロホンを含む、請求項２１に記載のシステム。
【請求項２６】
前記オブジェクト識別コンポーネントは、ＲＦＩＤリーダ、バーコードリーダ、マトリックスコードリーダ、多次元バーコードリーダ、加入者識別モジュールリーダ、拡張加入者識別モジュールリーダ、媒体アクセス制御アドレスリーダ、インターネットプロトコルアドレスリーダ、電子メールアドレスリーダ、またはメンバネットワーキングサービスのソーシャルグループに関連するユーザ名のリーダのうちの少なくとも１つを含む、請求項２１に記載のシステム。
【請求項２７】
前記パラメトリックコンポーネントは、前記少なくとも１つのパラメータ値を判定するために視覚凝視解析を実行するように構成される、請求項２１に記載のシステム。
【請求項２８】
前記視覚凝視解析は、視覚凝視に関連する地域のビューエリアの判定を含む、請求項２７に記載のシステム。
【請求項２９】
前記ビューエリアの前記判定は、前記ビューエリアまたはその付近のオブジェクトの判定を含む、請求項２８に記載のシステム。
【請求項３０】
前記ビューエリアの前記判定は、前記ビューエリアまたはその付近のプレゼンテーションインターフェースコンポーネントの少なくとも１つの見ることのできる領域の判定を含む、請求項２８に記載のシステム。
【請求項３１】
前記パラメトリックコンポーネントは、前記地域に近接して位置する少なくとも１人の個人のアイデンティティに収束するように構成される、請求項２１に記載のシステム。
【請求項３２】
前記パラメトリックコンポーネントは、前記少なくとも１人の個人の前記アイデンティティへの収束を容易にするために、音声認識解析、顔認識解析、網膜パターン解析、虹彩パターン解析、視覚凝視解析、または歩行解析を実行するように構成される、請求項３１に記載のシステム。
【請求項３３】
前記地域のパラメータの前記セットは、人口統計情報パラメータ、購入履歴パラメータ、プリファレンスパラメータ、前記少なくとも１人の個人の前記アイデンティティに基づく前記地域に近接して位置する前記少なくとも１人の個人の少なくとも１つのオブジェクトに関係するパラメータ、または前記少なくとも１人の個人の有望な識別のうちの少なくとも１つを含む、請求項３１に記載のシステム。
【請求項３４】
前記パラメトリックコンポーネントは、前記地域に近接して位置する少なくとも１人の個人の少なくとも１つの知覚パラメータ値の判定において容易にするために、前記地域からのオーディオ入力に関連する言語、前記言語の方言、前記オーディオ入力に関連するストレスレベル、前記オーディオ入力の音量、または前記オーディオ入力に関連する方向のうちの少なくとも１つを判定するように構成される、請求項２１に記載のシステム。
【請求項３５】
前記関心アナライザコンポーネントは、広告コンテンツの前記サブセットに関する少なくとも１つの広告の選択を容易にするために、広告データストアから少なくとも１つの広告特徴値を受け取り、前記少なくとも１つのパラメータ値の少なくともサブセットおよび前記少なくとも１つの広告特徴値の少なくともサブセットの比較を実行するように構成され、前記比較の結果は、少なくとも１つの所定の関数を満足する、請求項２１に記載のシステム。
【請求項３６】
前記地域内で識別されるオブジェクトの年齢、前記地域内で識別されるオブジェクトの保護されたクラス、前記地域内で識別されるオブジェクトの所定の匿名性パラメータ、または許容できる広告コンテンツを定義する少なくとも１つのルールに関する前記地域内で識別されるオブジェクトによる準拠の関数として広告コンテンツの前記サブセットを制限するように構成されたプライバシおよびコンプライアンスコンポーネントをさらに含む、請求項２１に記載のシステム。
【請求項３７】
前記パラメトリックコンポーネントは、分散コンピューティング環境内の複数のコンピュータにまたがって分散される、請求項２１に記載のシステム。
【請求項３８】
前記関心アナライザコンポーネントは、分散コンピューティング環境内の複数のコンピュータにまたがって分散される、請求項２１に記載のシステム。
【請求項３９】
実行に応答して、コンピューティングデバイスに、
広告コンテンツの消費に関連する広告スペースの少なくとも第１部分に関連するオーディオコンテンツまたはビジュアルコンテンツのうちの少なくとも１つを受け取る動作と、
前記広告スペースの少なくとも第２部分に関連する少なくとも１つの識別子に関連する品目情報を受け取る動作と、
前記広告スペースの少なくとも１つの特徴を判定することを含めて、前記オーディオコンテンツまたは前記ビジュアルコンテンツのうちの前記少なくとも１つと前記品目情報とを解析する動作と、
前記少なくとも１つの特徴に基づいて広告コンテンツのセットから広告コンテンツのサブセットセットを判定する動作と
を実行させるコンピュータ実行可能命令が格納されたコンピュータ可読記憶媒体。
【請求項４０】
広告コンテンツを消費することに関連する広告区域またはその付近の少なくとも個人に関連するオーディオコンテンツまたはイメージコンテンツのうちの少なくとも１つを受け取る手段と、
前記広告区域またはその付近の少なくとも１つの識別子に関連するオブジェクト情報を受け取る手段と、
前記広告区域の少なくとも１つの特徴を判定することを含めて、前記オーディオコンテンツまたは前記イメージコンテンツのうちの前記少なくとも１つと前記オブジェクト情報とを解析する手段と、
前記少なくとも１つの特徴に基づいて広告コンテンツのセットから広告コンテンツのサブセットを判定する手段と
を含むシステム。
【請求項４１】
遠隔に位置するコンテンツソースからイメージコンテンツを受け取るように構成されたイメージ処理コンポーネントであって、前記イメージコンテンツは、動的に適合された広告コンテンツを見せる地域の少なくとも第１部分に関連する、イメージ処理コンポーネントと、
遠隔に位置するオーディオコンテンツソースからオーディオコンテンツを受け取るように構成されたオーディオ処理コンポーネントであって、前記オーディオコンテンツは、前記地域の少なくとも第２部分に関連する、オーディオ処理コンポーネントと、
遠隔に位置するオブジェクト情報ソースからオブジェクト情報を受け取るように構成されたオブジェクト検索コンポーネントであって、前記オブジェクト情報は、前記地域の少なくとも第３部分またはその付近にあると判定される少なくとも１つのオブジェクト識別子に関連する、オブジェクト検索コンポーネントと、
所定のランキングルールに従って前記地域の特徴をランキングするために前記イメージコンテンツ、前記オーディオコンテンツ、および前記オブジェクト情報を解析するように構成されたランクコンポーネントと、
前記ランクコンポーネントによってランキングされた前記特徴の関数として広告コンテンツのセットから広告コンテンツのサブセットを判定するように構成されたコンテンツ選択コンポーネントと
を含むコンピューティングデバイス。
【請求項４２】
前記地域内で広告コンテンツの前記サブセットをレンダリングするように構成された出力コンポーネント
をさらに含む、請求項４１に記載のコンピューティングデバイス。
【請求項４３】
前記地域でのプレゼンテーションのための広告コンテンツの前記サブセットへのアクセスを容易にするように構成された出力コンポーネント
をさらに含む、請求項４１に記載のコンピューティングデバイス。
【請求項４４】
コンピューティングデバイスによる実行に応答して、前記コンピューティングデバイスに、
遠隔に位置するイメージコンテンツソースからイメージコンテンツを受け取る動作であって、前記イメージコンテンツは、動的に適合された広告コンテンツを見せる地域の少なくとも第１部分に関連する、動作と、
遠隔に位置するオーディオコンテンツソースからオーディオコンテンツを受け取る動作であって、前記オーディオコンテンツは、前記地域の少なくとも第２部分に関連する、動作と、
遠隔に位置するオブジェクト情報ソースからオブジェクト情報を受け取る動作であって、前記オブジェクト情報は、前記地域の少なくとも第３部分またはその付近にあると判定される少なくとも１つのオブジェクト識別子に関連する、動作と、
所定のランキングルールに従って前記地域の特徴をランキングすることを含めて、前記イメージコンテンツ、前記オーディオコンテンツ、および前記オブジェクト情報を解析する動作と、
前記地域の前記特徴の前記ランキングしたことに応答して広告コンテンツのセットから広告コンテンツのサブセットを判定する動作と
を実行させるコンピュータ実行可能命令が格納されたコンピュータ可読記憶媒体。
【請求項４５】
前記動作は、
前記地域内で広告コンテンツの前記サブセットをレンダリングすること
をさらに含む、請求項４４に記載のコンピュータ可読記憶媒体。
【請求項４６】
前記動作は、
前記領域でのプレゼンテーションのための広告コンテンツの前記サブセットへのアクセスを容易にすること
をさらに含む、請求項４４に記載のコンピュータ可読記憶媒体。
【発明の詳細な説明】
【技術分野】
【０００１】
本発明は、全般的には広告コンテンツの動的選択に関する。
【背景技術】
【０００２】
毎年、膨大な金額が、顧客に広告を提示するのに費やされる。広告は、視覚、聴覚、嗅覚、触覚、または他の形で成立し得る。広告主の１つの関心事は、消費者に製品またはサービスに関する特定のメッセージを伝えることの有効性である。一態様では、顧客に提示される広告コンテンツを動的に選択することが、有効な形で特定のメッセージを提示するために特定の顧客に合わせて広告を調整する際に重要な役割を果たす可能性がある。たとえば、広告コンテンツの動的選択を、広告コンテンツのより大きいセットからの広告コンテンツのサブセットの選択に関係付けることができる。
【０００３】
従来の広告コンテンツは、しばしば、非動的に提示される。たとえば、広告コンテンツを、公衆が見ることのできるポスターで提示することができる。この例では、広告主は、ポスターが表示される顧客の人口統計を考慮して、ポスターとして提示すべき広告に関する判断を行うことができる。しかし、人口統計と一致するターゲット聴衆が、変化するか、表示されているところでポスターを見ない場合に、広告は、そうでない場合より有効でないと考えられる可能性がある。したがって、たとえば特定の広告地域の変化する人口統計に合わせるために、広告のコンテンツを動的に選択できることが望ましい。
【０００４】
広告コンテンツ選択に対する従来の手法の上述の欠点は、単に、従来の手法および技法の問題の一部の概要を提供することを意図されたものであって、網羅的であることは意図されていない。従来のシステムおよび技法に伴う他の問題ならびに本明細書で説明されるさまざまな非限定的な実施形態の対応する利益は、次の説明を再検討する時にさらに明らかになる可能性がある。
【発明の概要】
【課題を解決するための手段】
【０００５】
動的広告コンテンツ選択は、顧客への広告コンテンツのプレゼンテーションが広告主の個々の表現を伝えることを可能にすることができる。広告コンテンツを見せる区域に関する情報を収集することによって、伝統的な静的広告に伴って経験されるものよりその区域またはその付近の消費者に関連する可能性がある広告コンテンツのサブセットを選択することができる。１つの非限定的な例では、コンピューティングデバイスは、ターゲット広告ゾーンの第１部分に関連するターゲット知覚コンテンツおよびターゲット広告ゾーンの第２部分に関連するオブジェクトに関連する識別情報を受け取ることができる。ターゲット知覚コンテンツおよび識別情報は、ターゲット広告ゾーンの特徴の値を判定するために解析され、特徴の値が関数の条件を満足したことに応答して、広告コンテンツのセットから広告コンテンツのサブセットを判定する。
【０００６】
前述の要約は、例示的であるのみであって、いかなる形でも限定的であることは意図されていない。上述の例示的な態様、実施形態、および特徴に加えて、さらなる態様、実施形態、および特徴が、図面および次の詳細な説明を参照することによって明らかになるであろう。
【図面の簡単な説明】
【０００７】
【図１】ターゲット広告ゾーンの特徴の値に基づいて広告コンテンツを動的に選択する例の非限定的な実施形態を示す流れ図である。
【図２】ターゲット広告ゾーンの特徴の値に基づいて広告コンテンツを動的に選択する例の非限定的な実施形態を示す流れ図である。
【図３】ターゲット広告ゾーンの特徴の値に基づいて広告コンテンツを動的に選択する例の非限定的な実施形態を示す流れ図である。
【図４】ターゲット広告ゾーンの特徴の値に基づいて広告コンテンツを動的に選択する例の非限定的な実施形態を示す流れ図である。
【図５】ターゲット広告ゾーンの特徴の値に基づいて広告コンテンツを動的に選択する例の非限定的な実施形態を示す流れ図である。
【図６】本開示の少なくともいくつかの態様による動的広告コンテンツ選択システムの例の非限定的な実施形態を示すブロック図である。
【図７】本開示の少なくともいくつかの態様による動的広告コンテンツ選択システムの例の非限定的な実施形態を示すブロック図である。
【図８】本開示の少なくともいくつかの態様による、視覚凝視解析に基づいてビューエリアを判定するように構成された動的広告コンテンツ選択システムの一部分の例の非限定的な実施形態を示すブロック図である。
【図９】本開示の少なくともいくつかの態様による、モバイルデバイスから地域コンテンツを受け取るように構成された動的広告コンテンツ選択システムの一部分の例の非限定的な実施形態を示すブロック図である。
【図１０】本開示の少なくともいくつかの態様による、プライバシおよびコンプライアンスコンポーネントを含む動的広告コンテンツ選択システムの例の非限定的な実施形態を示すブロック図である。
【図１１】本開示の少なくともいくつかの態様による、動的広告コンテンツ選択のコンピュータ可読命令のセットの例の非限定的な実施形態を示す流れ図である。
【図１２】本開示の少なくともいくつかの態様による、動的広告コンテンツ選択システムの例の非限定的な実施形態のブロック図である。
【図１３】本開示の少なくともいくつかの態様による、動的広告コンテンツ選択コンピューティングデバイスの例の非限定的な実施形態のブロック図である。
【図１４】本開示の少なくともいくつかの実施形態による、動的広告コンテンツ選択コンピューティングデバイスの例の非限定的な実施形態のブロック図である。
【図１５】本開示の少なくともいくつかの態様による、動的広告コンテンツ選択のコンピュータ可読命令のセットの例の非限定的な実施形態を示す流れ図である。
【図１６】本開示の少なくともいくつかの実施形態による、広告コンテンツを動的に選択するために配置された例のコンピューティングデバイスを示すブロック図である。
【発明を実施するための形態】
【０００８】
次の詳細な説明では、本明細書の一部を形成する添付図面を参照する。図面では、文脈がそうではないと規定しないかぎり、同様の記号が、通常は同様のコンポーネントを識別する。「発明を実施するための形態」、図面、および「特許請求の範囲」で説明される例示的実施形態は、限定的であることを意図されていない。本明細書で提示される主題の趣旨または範囲から逸脱せずに、他の実施形態を利用することができ、他の変更を行うことができる。全般的に本明細書で説明され、図面に示される、本開示の諸態様を、さまざまな異なる構成で配置し、置換し、組み合わせ、分離し、設計することができることは容易に理解され、そのすべてが、明確に本明細書で企図されている。
【０００９】
コンピュータ技術が進歩するにつれて、ユビキタスコンピューティングという概念がより現実になる。コンピュータは、先進国では現代生活のほとんどすべての側面で必要とされ、発展途上国でそうなりつつある。この広く使用可能なコンピューティング能力を活用することは、顧客に広告を提示する会社の利益になり得る。動的広告コンテンツ選択により、広告主のメッセージを伝えることにおいてより効果的である可能性がある形での顧客への広告コンテンツのプレゼンテーションが可能になる。広告を見せる区域に関する情報を収集することによって、伝統的な非動的広告に伴って経験されるものよりその区域またはその付近の消費者に関連する可能性がある広告コンテンツのサブセットを選択することが、可能である。
【００１０】
図１は、ターゲット広告ゾーンの特徴の値に基づいて広告コンテンツを動的に選択する方法１００の例の非限定的な実施形態を示す流れ図である。１１０では、方法１００は、ターゲット広告ゾーンの第１部分に関連するターゲット知覚コンテンツを受け取ることを含むことができる。ターゲット広告ゾーンの第１部分に関連するターゲット知覚コンテンツは、通常、知覚経験に関連するコンテンツを含むことができる。たとえば、ターゲット知覚コンテンツは、とりわけ、ビジュアル情報、オーディオ情報、触覚情報、嗅覚情報、または味覚情報を含むことができる。このターゲット知覚コンテンツを、イメージングセンサ、オーディオセンサ、圧力センサ、動力計、加速度計、光センサ、無線周波数スキャナまたはセンサ、温度センサ、電子鼻、質量解析計、その他などの多数の異なるタイプのセンサによって収集できることに留意されたい。一般に、ターゲット知覚コンテンツの２つの一般的な形は、ビジュアル知覚コンテンツおよび可聴知覚コンテンツを含む。このコンテンツを、たとえば、オーディオコンテンツについてマイクロホンの使用によって、またはビジュアルコンテンツについてカメラシステムによって、収集することができる。さらに、ビジュアルコンテンツが、静止画像ビジュアルコンテンツまたは動画ビジュアルコンテンツ、たとえば、静止画像ビジュアルコンテンツについてスナップショットもしくはビデオフレームグラブ、または動画ビジュアルコンテンツについてビデオ情報を含むことができることを理解されたい。ターゲット知覚コンテンツは、さらに、他のタイプのセンサデータ、たとえば、重量、速度、湿度、温度、振動などを含むことができる。
【００１１】
ターゲット広告ゾーンは、広告コンテンツの消費の対象である区域とすることができる。このターゲット広告ゾーンは、任意のサイズとすることができる。たとえば、ターゲット広告ゾーンは、大きいスタジアムのシートを含むことができ、このシートは、スタジアムの一端に配置された大画面ディスプレイを見ることができる。第２の例では、ターゲット広告ゾーンは、あるユーザが見ることのできるスマートホン上の画面またはそのユーザに非常に近い画面を含むことができる。第３の例として、ターゲット広告ゾーンは、食品雑貨店チェックアウトカウンタで並んで順番を待っている顧客を含むことができる。食品雑貨店チェックアウトカウンタで並んで順番を待っている顧客は、たとえば、チェックアウトラインの上に吊るされた、製品広告を有するディスプレイ画面を見ることができる。
【００１２】
１２０では、方法１００は、ターゲット広告ゾーンの第２部分に関連するオブジェクトに関連する識別情報を受け取ることを含むことができる。識別情報は、製品、デバイス、または他のオブジェクトに関連する情報を含むことができる。たとえば、識別情報は、スープの缶からのバーコード、衣類の一部からのＲＦＩＤタグ、または個人が見ているカタログ内の２次元バーコードなど、買う顧客に対する製品に関連する情報を含むことができる。第２の例として、識別情報は、個人が持ち運ぶセル電話機からの加入者識別モジュール（ｓｕｂｓｃｒｉｂｅｒ  ｉｄｅｎｔｉｔｙ  ｍｏｄｕｌｅ）情報、個人のモバイルコンピュータに関連するインターネットプロトコルアドレスその他など、デバイスに関連する情報を含むことができる。第３の例として、識別情報は、車両を識別するナンバープレート情報、個人がペットまたは子供を同伴することを識別する情報その他など、他のオブジェクトに関連する情報を含むことができる。
【００１３】
一態様では、ターゲット広告ゾーンの第１部分を、ターゲット広告ゾーンの第２部分と同一とすることができる。たとえば、ビジュアルターゲット知覚コンテンツを、顧客およびショッピングカートを含むターゲット広告ゾーンの第１部分から受け取ることができる。この例では、識別情報を、ターゲット広告ゾーンの第２部分から受け取ることができ、ここで、ターゲット広告ゾーンの第２部分は、たとえばショッピングカート内の製品のバーコードをビジュアル的に取り込むことができるという点で、ターゲット広告ゾーンの第１部分と同一である。
【００１４】
さらなる態様では、ターゲット広告ゾーンの第１部分を、ターゲット広告ゾーンの第２部分とは異なるものとすることができる。たとえば、ビジュアルターゲット知覚コンテンツを、顧客の胴および顔ならびにショッピングカートの一部を含むターゲット広告ゾーンの第１部分から受け取ることができる。したがって、この例のターゲット広告ゾーンの第１部分が、ショッピングカート全体を含むのではないことに留意されたい。したがって、たとえばショッピングカートによって定義される、ターゲット広告ゾーンの第２部分から受け取られる識別情報、たとえばショッピングカート内の製品のバーコードは、ターゲット広告ゾーンの第１部分とは異なる、ターゲット広告ゾーンの一部分からのものになるはずである。
【００１５】
さらなる態様では、ターゲット広告ゾーンの第１部分および第２部分を、異なり、オーバーラップしないものとすることができる。たとえば、生体力学ターゲット知覚コンテンツを、現金自動預払機ごとの網膜スキャナを含むターゲット広告ゾーンの第１部分から受け取ることができる。識別情報、たとえばセル電話機からの加入者識別モジュール情報を、ターゲット広告ゾーンの第２部分から受け取ることができる。
【００１６】
１３０では、方法１００は、ターゲット広告ゾーンの特徴を判定することを含めて、ターゲット知覚コンテンツおよび識別情報を解析することを含むことができる。ターゲット知覚コンテンツと識別情報との両方を解析することによって、そうでなければ入手可能ではない可能性があるターゲット広告ゾーンに関する特徴を抽出することができる。その代わりに、ターゲット知覚コンテンツまたは識別情報を、個別にまたは別々に解析することができる。たとえば、ターゲット広告ゾーンが、スポーツスタジアムの外部の大きいビデオディスプレイの周囲の区域を含む場合に、外国語、たとえば日本語のオーディオターゲット知覚コンテンツを受け取ることは、旅行者がそのビデオディスプレイを見ていることを示し、またはその推論を作成することができる。しかし、この例では、長年にわたる米国セルラ電話アカウントを示す識別情報も受け取られる場合に、推論は、その代わりに、ビデオディスプレイを見ている個人が、結局は旅行者でない可能性があることになる可能性がある。広告コンテンツの動的選択が、旅行者または非旅行者について異なる場合に、ターゲット知覚コンテンツと識別情報との両方を解析することは、大きいビデオディスプレイを見ている個人に関する異なる判定をもたらすことができる。
【００１７】
ターゲット広告ゾーンの特徴は、ターゲット広告ゾーンのほとんどすべての態様を含むことができる。たとえば、ターゲット広告ゾーンの特徴を、人数、人の民族性、人の性別、ペットを含むこと、製品の個数、製品のタイプ、製品の平均コスト、密度顧客、顧客の空間分布、顧客の平均収入、特別な顧客の識別（ＶＩＰ顧客など）、最近の購入情報などとすることができる。さらに、ターゲット広告ゾーンの特徴を、しばしば、値を用いて定量化することができる。たとえば、顧客数特徴は、６人がいる場合に、６という値を有することができる。もう１つの例として、顧客の空間分布特徴は、ターゲット広告ゾーン内の位置に依存する関数など、関数値を有することができる。さらに、ターゲット広告ゾーンの特徴の値を、２進数とすることができる。たとえば、ターゲット広告ゾーン内の子供の存在を示すターゲット広告ゾーンの特徴の値を、「真」または「偽」とすることができる。
【００１８】
１４０では、方法１００は、特徴の値が所定の関数の条件を満足したことに応答して、広告コンテンツのセットから広告コンテンツのサブセットを判定することを含むことができる。この点で、方法１００は、オプションで終了することができる。広告コンテンツのサブセットの判定の第１の例として、オーディオターゲット知覚コンテンツが、受け取られ、製品およびショッピングカートの識別情報に関連して解析される場合に、主に話される言語が中国語であり、ショッピングカートが製品あたりの高い平均コストを有する製品を含むことを判定することができる。したがって、同様に高い製品あたりの平均コストを有する製品に関する中国語の広告を含む広告コンテンツのサブセットを選択することができる。第２の例として、子供がターゲット広告ゾーン内で検出される場合に、そうでなければ適当として示される場合であっても、アルコールまたは煙草の広告を制限することができる。
【００１９】
当業者は、本明細書で開示されるこのプロセスおよび方法ならびに他のプロセスおよび方法について、プロセスおよび方法内で実行される機能を、異なる順序で実施できることを理解するであろう。さらに、概要を示されるステップおよび動作は、例として提供されるのみであり、開示される実施形態から逸脱せずに、ステップおよび動作の一部を、オプションとし、より少数のステップおよび動作に組み合わせ、あるいは追加のステップおよび動作に展開することができる。
【００２０】
いくつかの実施形態では、ターゲット知覚コンテンツは、ターゲット広告ゾーン内の個人の虹彩または網膜の解析を容易にするコンテンツを含むことができる。この生物測定情報を、たとえば、個人を識別するのに使用し、購入履歴、製品プリファレンス、ロイヤリティプログラム、これから起きるイベント、アレルギ、家族情報その他などの情報へのアクセスを可能にすることができる。
【００２１】
実施形態は、ターゲット広告ゾーンまたはその付近の個人の視覚凝視解析をも含むことができる。視覚凝視解析は、個人がどこを見ているのかの判定を容易にすることができる。これを、個人が何を見ているのかを判定する際にオブジェクトレベルで使用することができる。例として、個人は、新車、広告掲示板上の広告、店のウィンドウ内の衣服の１つ、通りの向かいのコーヒーショップその他などの製品を見ている可能性がある。さらに、視覚凝視解析を、個人が見ているオブジェクトの領域を判定する際にオブジェクト以下のレベルで使用することができる。例として、個人は、同一の広告ディスプレイの他の領域とは異なる可能性がある特定のクラスの製品が広告されている可能性がある広告ディスプレイの右下四分の一を見ている可能性がある。もう１つの非限定的な例として、個人が、コンピュータディスプレイの一領域を占めるポップアップ広告を見ていると判定することができる。オブジェクトのこれらの領域を判定できる場合に、その領域に関連する動的広告を、広告のサブセットの一部として選択することができる。
【００２２】
さらに、実施形態は、適当なターゲット知覚コンテンツのイメージ解析の他の形を含むことができる。たとえば、解析は、顔パターンについてターゲット知覚コンテンツを解析することを含むことができる。顔パターンは、性別、民族性、気分、年齢、アイデンティティなどを示すことができる。イメージ解析の追加の非限定的な例として、個人の歩行解析を実行することができる。ゲート解析は、年齢、速度、方向、体重、性別などを示すことができる。多数の他のイメージ解析技法を、ターゲット知覚コンテンツの解析の一部として使用することができ、そのようなすべての技法は、簡潔さおよび明瞭さのために本明細書では列挙されないが、本開示の範囲に含まれると考えられる。
【００２３】
さらに、識別情報は、識別子が関連するオブジェクトに関する情報に関係付けることのできるほとんどすべての識別子を含むことができる。したがって、識別情報を、無線周波数識別タグ（ＲＦＩＤ）、バーコード、マトリックスコード、多次元バーコード、加入者識別モジュール（ＳＩＭ）、拡張ＳＩＭ（ｅＳＩＭ）、媒体アクセス制御（ＭＡＣ）アドレス、インターネットプロトコル（ＩＰ）アドレス、電子メールアドレス、メンバネットワーキングサービスのソーシャルグループに関連するユーザ名、たとえばソーシャルメディアサービスのユーザ名などによって示すことができる。識別情報は、オブジェクト情報、製品情報、インターネット検索履歴、個人プロファイル、個人プリファレンス、人口統計情報、購入履歴、広告応答履歴、プロビジョニング情報、スケジュール情報などを含むことができる。たとえば、スマートホンｅＳＩＭは、個人を識別するために読み取られ、使用され得、購入履歴およびプリファレンスプロファイルへのアクセスを提供することができる。第２の例として、バーコードを使用して、プロビジョニングに関する保留中の注文状況を取り出すことができる。この例で製品の再供給が遅れている場合に、動的広告コンテンツは、匹敵する製品の広告を含むことができる。
【００２４】
図２は、ターゲット広告ゾーンの特徴の値に基づいて広告コンテンツを動的に選択する方法２００の例の非限定的な実施形態を示す流れ図である。２１０では、方法２００は、ターゲット広告区域の第１部分に関連する静止画像コンテンツ、ビデオフレームキャプチャコンテンツ、またはビデオコンテンツを含むターゲット知覚コンテンツを受け取ることを含むことができる。たとえば、方法２００は、現金自動預払機上のカメラから虹彩の静止画像を受け取ることができる。第２の例として、方法２００は、交通カメラ、店の防犯カメラ、コンピュータ上のウェブカム、セル電話機のカメラなどからビデオ情報を受け取ることができる。２２０では、方法２００は、ターゲット広告ゾーンの第２部分に関連するオブジェクトに関連する識別情報を受け取ることを含むことができる。
【００２５】
２３０では、方法２００は、ターゲット広告ゾーンの特徴の値を判定するのを容易にするために、ターゲット知覚コンテンツ内で提示される静止画像、フレームキャプチャ、またはビデオコンテンツの解析を含めて、ターゲット知覚コンテンツおよび識別情報を解析することを含むことができる。イメージコンテンツがターゲット知覚コンテンツの一部である場合に、このイメージコンテンツを、他のターゲット知覚コンテンツおよび識別情報の解析に関連して解析することができる。さらに、複数のソースからのイメージコンテンツが受け取られつつある場合に、２３０での解析は、イメージコンテンツの一部またはすべての解析を含むことができる。たとえば、ターゲット知覚コンテンツが、複数のカメラからのビデオ情報を含む場合に、オーバーラップイメージコンテンツの冗長エリアを、解析の処理を高速化するために解析から除外することができる。しかし、同一の例について、たとえばより高いレベルの詳細が、望ましく、追加の解析から収集できる場合に、オーバーラップの冗長エリアを解析することもできる。匹敵する例として、フードコート内の広告を、イメージターゲット知覚コンテンツを供給する複数のカメラを有する大きいターゲット広告ゾーンに関連付けることができる。この例で、群集密度特徴が判定される場合には、個人を数えることが高いレベルの詳細を必要としない可能性があるので、冗長なイメージコンテンツを除外することができる。しかし、この同一のフードコートの例で、性別特徴が顔特徴解析によって判定され、冗長イメージコンテンツは、顔特徴解析のために複数のアングルを提供することによって貴重になる可能性があり、したがって、除外されない場合がある。２４０では、方法２００は、特徴の値が所定の関数の条件を満足したことに応答して、広告コンテンツのセットから広告コンテンツのサブセットを判定することを含むことができる。この点で、方法２００は、オプションで終了することができる。
【００２６】
図３は、ターゲット広告ゾーンの特徴の値に基づいて広告コンテンツを動的に選択する方法３００の例の非限定的な実施形態を示す流れ図である。３１０では、方法３００は、ターゲット広告区域の第１部分に関連する静止画像コンテンツ、ビデオフレームキャプチャコンテンツ、またはビデオコンテンツを含むターゲット知覚コンテンツを受け取ることを含むことができる。３２０では、方法３００は、ターゲット広告ゾーンの第２部分に関連するオブジェクトに関連する識別情報を受け取ることを含むことができる。
【００２７】
３３０では、方法３００は、ターゲット広告ゾーンの特徴の値を判定するのを容易にするために、ターゲット知覚コンテンツ内で表される視覚凝視を解析することを含めて、ターゲット知覚コンテンツおよび識別情報を解析することを含むことができる。視覚凝視の解析は、解析される凝視に関連するオブジェクトまたはオブジェクトの領域を判定することを含むことができる、ビューエリアを判定することを含むことができる。オブジェクトの領域は、コンピュータディスプレイの領域など、プレゼンテーションインターフェースの見ることのできる領域を含むことができる。視覚凝視解析の例として、凝視解析は、雑誌のうちの１つまたは複数のオーディオ広告を適当とすることができることを示すことができる、個人が店のチェックアウトカウンタのマガジンラックを見ていることを示すことができる。第２の例として、凝視解析は、競合する雑誌の広告が適当であることを示すことができる、個人がマガジンラックの特定の雑誌タイトルを凝視していることを示すことができる。さらなる非限定的な例として、識別された個人の凝視解析の履歴を解析して、個人がホームストア（ｈｏｍｅ  ｓｔｏｒｅ）を訪れている時に鉢植えを凝視するなど、凝視傾向を判定することができ、これは、春のホームストア用の広告が、その個人またはその付近のターゲット広告ゾーンに適当である可能性があることを示すことができる。凝視解析を、時間的とすることもできる。たとえば、自動車の複数のモデルの広告を見ている個人が、各広告される自動車をどれほど長く見るのかを追跡するために凝視解析を受けることができるなど、ある個人が、より大きい広告ディスプレイのある領域を凝視していると判定される場合に、その領域とその領域を凝視して費やされた時間との両方を解析することができる。これは、その個人にとって魅力的である可能性がより高いと思われる自動車を広告ディスプレイに動的に投入することができる特徴値をもたらすことができる。３４０では、方法３００は、特徴の値が所定の関数の条件を満足したことに応答して、広告コンテンツのセットから広告コンテンツのサブセットを判定することを含むことができる。この点で、方法３００は、オプションで終了することができる。凝視解析の多数の他の態様が、簡潔さのために本明細書で明示的に列挙されてはいないが、本開示の範囲内で考慮されることに留意されたい。
【００２８】
図４は、ターゲット広告ゾーンの特徴の値に基づいて広告コンテンツを動的に選択する方法４００の例の非限定的な実施形態を示す流れ図である。４１０では、方法４００は、ターゲット広告区域の第１部分に関連するオーディオコンテンツを含むターゲット知覚コンテンツを受け取ることを含むことができる。たとえば、方法４０は、２人の人の間の対話、ある人からの音声コンテンツ、吠える犬などの背景雑音、泣く赤ん坊などの前景雑音などを表すデータを受け取ることができる。一態様では、オーディオコンテンツは、背景オーディオコンテンツまたは定義されたベースラインコンテンツを受け取られたオーディオコンテンツから除去することを含むことができる。これは、たとえば２人の人の間の対話を分離するために交通雑音周波数を除去することによって、オーディオ解析を改善することができる。４２０では、方法４００は、ターゲット広告ゾーンの第２部分に関連するオブジェクトに関連する識別情報を受け取ることを含むことができる。
【００２９】
４３０では、方法４００は、個人を識別することを容易にするためにターゲット知覚コンテンツ内で表されるオーディオコンテンツを解析することまたはターゲット広告ゾーンの特徴の値を判定することを容易にするためにオーディオコンテンツを解析することを含めて、ターゲット知覚コンテンツおよび識別情報を解析することを含むことができる。たとえば、セル電話機のマイクロホンが、オーディオコンテンツのソースである場合に、そのオーディオコンテンツを解析して、話者を識別することを試み、あるいは、話者言語、方言、話者のストレスレベルなどを判定することができる。さらに、オーディオコンテンツを、ウェブカムなどのイメージキャプチャデバイスのマイクロホン、セル電話機などのモバイル通信デバイスのマイクロホン、ラップトップ機などのモバイルコンピュータのマイクロホン、無線ヘッドセットなどのモバイル通信アクセサリのマイクロホン、マイクロホンの指向性アレイ、外部マイクロホンなどによって取り込まれたマイクロホンオーディオコンテンツを含むさまざまなソースから受け取ることができる。さらに、音の音量または方向を判定するなど、非音声オーディオコンテンツを解析することもできる。たとえば、動的広告コンテンツ選択は、消防車のサイレンがターゲット広告区域に接近しつつあるとの判定に応答して、家庭用煙検出器の交換バッテリの販売を促進することができる。同様に、携帯用削岩機などの道路建設雑音が、ターゲット広告ゾーンまたはその付近にあると判定される場合に、頭痛薬製品の広告が適当である可能性がある。４４０では、方法４００は、特徴の値が所定の関数の条件を満足したことに応答して、広告コンテンツのセットから広告コンテンツのサブセットを判定することを含むことができる。この点で、方法３００は、オプションで終了することができる。
【００３０】
図５は、ターゲット広告ゾーンの特徴の値に基づいて広告コンテンツを動的に選択する方法５００の例の非限定的な実施形態を示す流れ図である。５１０では、方法５００は、ターゲット広告区域の第１部分に関連するターゲット知覚コンテンツを受け取ることを含むことができる。５２０では、方法５００は、ターゲット広告ゾーンの第２部分に関連するオブジェクトに関連する識別情報を受け取ることを含むことができる。５３０では、方法５００は、ターゲット広告ゾーンの特徴の値を判定することを含めて、ターゲット知覚コンテンツおよび識別情報を解析することを含むことができる。５４０では、方法５００は、特徴の値が所定の関数の条件を満足したことに応答して、広告コンテンツのセットから広告コンテンツのサブセットを判定することを含むことができる。
【００３１】
５５０では、方法５００は、ターゲット知覚コンテンツを解析することによって識別された、ターゲット広告ゾーン内またはその付近にいることによって広告コンテンツを消費する位置にいる個人に関連する所定のルールを満足する広告コンテンツを選択することを含むことができる。この点で、方法５００は、オプションで終了することができる。オーディオ解析および／またはビデオ解析によるなど、個人を識別できる場合には、その識別された個人に関係するルールを使用して、広告コンテンツのサブセットから広告コンテンツを選択することができる。いくつかの実施形態では、個人の存在を、グループ要因を超えて制御的とすることができる強い要因として使用することができる。たとえば、個人がピーナッツに対するアレルギを有し、その個人がターゲット広告ゾーン内の人のグループの一部として識別される場合に、広告を、ピーナッツアレルゲンがないことを証明された製品だけに制限することができる。他の実施形態では、個人の存在を、非要因として使用することができる。例として、個人が、動的広告をオプトアウトすることができ、したがって、その個人がターゲット広告ゾーン内で識別される時に、広告コンテンツの選択は、識別された個人に関連するターゲット広告ゾーンの特徴を意図的に無視することができる。
【００３２】
図６は、本開示の少なくともいくつかの態様による動的広告コンテンツ選択システム６００の例の非限定的な実施形態のブロック図である。システム６００は、環境キャプチャコンポーネント６１０およびオブジェクト識別コンポーネント６２０を含むことができる。環境キャプチャコンポーネント６１０を、動的に適合された広告コンテンツを見せる地域の第１部分に関連する環境コンテンツを受け取るように構成することができ、パラメトリックコンポーネント６３０に通信的に結合することができる。いくつかの実施形態では、環境キャプチャコンポーネント６１０は、スチールカメラ、ビデオカメラ、またはビデオフレームキャプチャコンポーネントを含むことができる。さらに、環境キャプチャコンポーネント６１０は、外部マイクロホン、マイクロホンの指向性アレイ、ビデオカメラに付随するマイクロホン、モバイル通信デバイスマイクロホン、またはモバイルデバイスマイクロホンを含むことができる。さらに、環境キャプチャコンポーネント６１０を、リモートソースから環境コンテンツを受け取るように構成することができる。環境コンテンツは、ビジュアル、オーディオ、触覚、嗅覚、香り、テクスチャ、重量、速度、湿度、温度、振動などを含むことができる。環境コンテンツを、多数の異なるタイプのセンサによって収集することができる。たとえば、温度コンテンツを、ローカルのまたはリモートの温度ソースから受け取ることができる。
【００３３】
いくつかの実施形態では、環境コンテンツは、個人の虹彩または網膜の解析を容易にするコンテンツを含むことができる。この情報を、たとえば、個人を識別するのに使用し、購入履歴、製品プリファレンス、ロイヤリティプログラム、これから起きるイベント、アレルギ、家族情報その他などの情報へのアクセスを可能にすることができる。実施形態は、個人の視覚凝視コンテンツを含むこともできる。視覚凝視コンテンツは、個人がどこを見つめているのかの判定を容易にすることができる。これを、個人が見つめているものの判定の際に、オブジェクトレベルで使用することができる。さらに、視覚凝視解析を、個人が見ているオブジェクトの領域を判定する際にオブジェクト以下のレベルで使用することができる。
【００３４】
オブジェクト識別コンポーネント６２０を、動的に適合された広告コンテンツを見せる地域の第２部分またはその付近のオブジェクト識別子に関連するオブジェクト情報を受け取るように構成することができ、パラメトリックコンポーネント６３０に通信的に結合することができる。いくつかの実施形態では、オブジェクト識別コンポーネント６２０は、ＲＦＩＤリーダ、バーコードリーダ、マトリックスコードリーダ、多次元バーコードリーダ、ＳＩＭリーダ、ｅＳＩＭリーダ、ＭＡＣアドレスリーダ、ＩＰアドレスリーダ、電子メールアドレスリーダ、またはメンバネットワーキングサービスのソーシャルグループに関連するユーザ名のリーダを含むことができる。オブジェクト情報は、製品情報、インターネット検索履歴、個人プロファイル、個人プリファレンス、人口統計情報、購入履歴、広告応答履歴、プロビジョニング情報、スケジュール情報などを含むことができる。
【００３５】
動的に適合された広告コンテンツを見せる地域の第１部分および第２部分は、同一、異なるがオーバーラップする、または異なり、オーバーラップしないものとすることができる。たとえば、カメラおよび指向性マイクロホンは、ショッピングしている間の個人の胴など、動的に適合された広告コンテンツを見せる地域の第１部分に関連するイメージおよびオーディオコンテンツを取り込むことができ、ニアフィールドＲＦＩＤリーダは、個人が買い物する時にその個人によってＲＦＩＤリーダを介してプッシュされるショッピングカート内の製品に関係するオブジェクト情報を受け取ることができ、このカート内の製品は、動的に適合された広告コンテンツを見せる地域の第２部分に関連する。この例では、第１部分および第２部分を、異なり、オーバーラップしないものとすることができる。
【００３６】
システム６００は、さらに、パラメトリックコンポーネント６３０を含むことができる。パラメトリックコンポーネント６３０を、動的に適合された広告コンテンツを見せる地域のパラメータ（１つまたは複数）６３５のパラメータ値（１つまたは複数）を判定するために環境コンテンツおよびオブジェクト情報を解析するように構成することができる。パラメトリックコンポーネント６３０を、関心アナライザコンポーネント６４０に通信的に結合することができる。いくつかの実施形態では、パラメトリックコンポーネント６３０を、視覚凝視解析を実行するように構成することができる。視覚凝視解析は、凝視に関連する領域のビューエリアの判定を含むことができ、これによって、個人が凝視するオブジェクトまたは個人が凝視するプレゼンテーションインターフェースコンポーネントの見ることのできる領域を判定することができる。たとえば、ＰＣの前に坐っている個人を解析することができ、その個人が、ディスプレイ上の他所に配置された他のコンテンツを凝視していない間に蛇口の設置に関するハウツー記事に関連するディスプレイの領域を見ていると判定することができる。この凝視解析は、蛇口に関する広告が適当である可能性があることを示すことができる。さらに、実施形態は、環境コンテンツの他の形の解析を含むことができる。たとえば、解析は、人口統計情報パラメータ、購入履歴パラメータ、プリファレンスパラメータ、広告領域の付近のオブジェクトまたは個人のプリファレンスに関係するパラメータ、有望な識別パラメータその他などのパラメータのパラメータ値を判定するために、音声認識、顔パターン、網膜パターン、虹彩パターン、個人の歩行解析、言語／方言認識、ストレスレベル解析、音量判定、方向判定などのための環境コンテンツの解析を含むことができる。多数の他の解析技法およびパラメータを、環境コンテンツの解析の一部として使用することができ、そのような技法のすべてが、簡潔さおよび明瞭さのために本明細書で列挙されてはいないが、本開示の範囲内で考慮される。
【００３７】
システム６００は、さらに、関心アナライザコンポーネント６４０を含むことができる。関心アナライザコンポーネント６４０を、パラメータ値が所定のルールの条件を満足したことに応答して広告コンテンツのセットから広告コンテンツのサブセットを判定するように構成することができる。広告コンテンツ特徴に関係する情報を、広告データストアに格納することができ、いくつかの実施形態について、関心アナライザコンポーネント６４０は、広告コンテンツのサブセットへのメンバシップを判定するためにパラメータ値と広告特徴値との間の比較を実行できるようになっている。たとえば、広告コンテンツを、車両、食料品、エンターテイメントその他などのコンテンツカテゴリに分類することができる。関心アナライザ６４０は、この例では、食料品カテゴリに関係する広告のすばやい選択を可能にするポテトチップを示すオブジェクト識別子パラメータなど、パラメータ値をカテゴリと比較して、広告コンテンツのサブセットを選択することができる。
【００３８】
図７は、本開示の少なくともいくつかの態様による動的広告コンテンツ選択システム７００の例の非限定的な実施形態のブロック図である。システム７００は、環境キャプチャソース７１０を含むことができ、環境キャプチャソース７１０は、ビジュアルキャプチャコンポーネント７１１またはオーディオキャプチャコンポーネント７１２を含むことができる。環境キャプチャソース７１０は、例示および説明を簡単にするためにカムコーダとして図示されているが、環境キャプチャソース７１０は、それに限定されない。たとえば、環境キャプチャソース７１０は、防犯カメラ、ウェブカム、セル電話機カメラ、衛星イメージングシステム、交通カメラ、現金自動預払機カメラ、ヘッドセットマイクロホン、セル電話機マイクロホン、ビデオカメラマイクロホン、外部マイクロホン、マイクロホンのアレイ、温度センサ、雨量計、加速度計、圧力センサ、風速計などを含むことができる。環境キャプチャソース７１０を、動的に適合された広告コンテンツを見せる地域の第１部分に関連する環境コンテンツを受け取るように構成することができ、パラメトリックコンポーネント７３０に通信的に結合することができる。いくつかの実施形態では、環境キャプチャソース７１０を、触覚、嗅覚、香り、テクスチャ、重量、速度、湿度、温度、振動その他などの他の環境コンテンツを受け取るように構成することができる。環境キャプチャソース７１０を、パラメトリックコンポーネント７３０に通信的に結合することができる。
【００３９】
システム７００は、さらに、オブジェクト識別コンポーネント７２０を含むことができる。オブジェクト識別コンポーネント７２０を、動的に適合された広告コンテンツを見せる地域の第２部分またはその付近のオブジェクト識別子に関連するオブジェクト情報を受け取るように構成することができ、パラメトリックコンポーネント７３０に通信的に結合することができる。
【００４０】
さらに、システム７００は、パラメトリックコンポーネント７３０を含むことができる。パラメトリックコンポーネント７３０を、動的に適合された広告コンテンツを見せる地域のパラメータ（１つまたは複数）７３５のパラメータ値（１つまたは複数）を判定するために環境コンテンツおよびオブジェクト情報を解析するように構成することができる。パラメトリックコンポーネント７３０を、関心アナライザコンポーネント７４０に通信的に結合することができる。パラメトリックコンポーネント７３０を、パラメータデータストア７３２に通信的に結合することもできる。パラメータデータストア７３２は、パラメータ値を判定することに関係する情報を格納するように構成された、ローカル、リモート、または分散式のデータストレージとすることができる。非限定的な例として、パラメータデータストア７３２は、虹彩パターンライブラリ、表情ライブラリ、環境コンテンツ解析ルールテーブルなどを含むことができる。さらに、ユビキタスコンピューティング環境では、識別可能な個人の個人プロファイル関係書類、識別可能な製品の購入履歴、製品の成分リストその他など、大量のデータが、十分にパラメータデータストア７３２の範囲内である。
【００４１】
システム７００は、関心アナライザコンポーネント７４０を含むこともできる。関心アナライザコンポーネント７４０を、パラメータ値が所定のルールの条件を満足したことに応答して、広告コンテンツのセットから広告コンテンツのサブセットを判定するように構成することができる。関心アナライザコンポーネント７４０を、広告データストア７４２に通信的に結合することができる。広告データストア７４２は、広告セットに関係する情報を格納するように構成されたローカル、リモート、または分散式のデータストレージとすることができる。したがって、広告データストアは、たとえば、広告コンテンツセット、広告コンテンツセットの広告の分類テーブル、広告選択ルールライブラリ、広告制限情報などを含むことができる。関心アナライザコンポーネント７４０を、プレゼンテーションインターフェースコンポーネント７８０に通信的に結合することもできる。
【００４２】
プレゼンテーションインターフェースコンポーネント７８０を、動的に適合された広告コンテンツを見せる地域内またはその付近の動的に選択された広告コンテンツの消費を容易にするように構成することができる。関心アナライザコンポーネント７４０による広告コンテンツのサブセットの選択は、プレゼンテーションインターフェースコンポーネント７８０による広告の選択されたサブセットの一部のプレゼンテーションをもたらすことができる。プレゼンテーションインターフェースコンポーネント７８０の実施形態は、広告コンテンツの直接または間接のビジュアル、オーディオ、嗅覚、口蓋、または触覚のプレゼンテーションを含むことができる。例として、プレゼンテーションインターフェースコンポーネント７８０は、ビジュアル広告コンテンツを提示するディジタルディスプレイ、オーディオ広告コンテンツを提供するスピーカ、広告される製品またはサービスのサンプルを提供する薬局、スマートホンまたは電子メールアドレスへのディジタル広告のプッシュなど、ターゲットに広告コンテンツを送信する送信機などを含むことができる
【００４３】
システム７００は、動的に適合された広告コンテンツを見せる地域と相互作用することができる。個人７９０は、たとえば、その地域またはその付近にいることができる。したがって、個人７９０は、広告コンテンツのサブセットの判定を容易にするためにシステム７００によって解析できる環境コンテンツを提示することができる。たとえば、個人７９０のビジュアル環境コンテンツを、ビジュアルキャプチャコンポーネント７１１によって取り込むことができる。ビジュアルキャプチャコンポーネント７１１は、その地域の他のビジュアルコンテンツ、たとえば犬７９７または子供７９８などを取り込むこともできる。同様に、オーディオキャプチャコンポーネント７１２は、たとえば、個人７９０からの音声７９１などのオーディオコンテンツを取り込むことができる。
【００４４】
地域とのシステム７００相互作用は、オブジェクト識別コンポーネント７２０によるオブジェクト識別情報を受け取ることを含むこともできる。たとえば、セル電話機７９５は、セル電話機７９５に関連する個人を識別するのに使用できるＳＩＭ／ｅＳＩＭ情報を提供することができる。たとえば、ＳＩＭ情報は、電話機が個人７９０に属することを識別することができる。さらに、この識別情報を、広告コンテンツを動的に選択するためにシステム７００によって使用できるほとんどすべての他のタイプの情報、たとえば、人口統計情報、プリファレンス、購入履歴、カレンダ情報、履歴上位置情報、家族情報などと関連付けることができる。オブジェクト識別コンポーネント７２０によるオブジェクト識別情報の受取りのもう１つの例として、ショッピングカートコンテンツ７９６は、各製品のオブジェクト情報を、たとえばＲＦＩＤタグによって、オブジェクト識別コンポーネント７２０に提供することができる。たとえば、ショッピングカートコンテンツ７９６が、ホームシアター機器を含む場合に、この情報を使用して、スピーカワイヤ、ストリーミング映画サービスその他などの相補的な製品またはサービスの広告を選択することができる。さらに、個人７９０の表情および虹彩識別などの環境コンテンツと組み合わせて解析される場合に、広告コンテンツの選択の質を高めることができ、たとえば、ストリーミング映画サービスの広告を、個人７９０に関連する買う気になる価格に合わせて調整することができ、あるいは、個人７９０がストレスを受けていることを示す表情を有する時に、アクション映画ではなくロマンス映画を広告するなど、より落ち着かせる広告を選択することなどができる。
【００４５】
図８は、本開示の少なくともいくつかの態様による、視覚凝視解析に基づいてビューエリアを判定するように構成された動的広告コンテンツ選択システム８００の一部分の例の非限定的な実施形態のブロック図である。システム８００は、ビジュアルキャプチャコンポーネント８１１を含むことができる環境キャプチャデバイス８１０を含むことができる。図７に似て、環境キャプチャデバイス８１０は、例示および説明を簡単にするためにカムコーダとして図示されているが、環境キャプチャソース８１０は、それに限定されない。ビジュアルキャプチャコンポーネント８１１は、パラメトリックコンポーネント８３０が環境コンテンツを受け取るのを容易にすることができる。パラメトリックコンポーネント８３０を、たとえばプレゼンテーションインターフェースコンポーネント８８０によって、動的に適合された広告コンテンツを見せる地域の少なくとも１つのパラメータ値を判定するために環境コンテンツを解析するように構成することができる。
【００４６】
個人８９０は、動的に適合された広告コンテンツを見せる地域またはその付近にいることができる。たとえば、個人８９０は、プレゼンテーションインターフェースコンポーネント８８０を見ていることができる。したがって、個人８９０を、環境キャプチャデバイス８１０によって監視することができる。さらに、環境キャプチャデバイス８１０は、個人８９０からビューエリア８９３を判定するために視覚凝視コンテンツ８９２を取り込むことができる。たとえば、個人８９０の各目の瞳孔での接線に垂直に引かれた線の収束角は、プレゼンテーションインターフェースコンポーネント８８０上の見ることのできる領域８８１を示すことができる。視覚凝視コンテンツ８９２の視覚凝視解析が、プレゼンテーションインターフェースコンポーネント８８０の領域８８２〜８８４より強く、見ることのできる領域８８１に相関するビューエリアを示す場合に、見ることのできる領域８８１を、他の領域８８２、８８３、および８８４から区別することができる。
【００４７】
同様の凝視解析を使用して、個人８９０が見ることのできるオブジェクト（図示せず）を判定しまたは識別することができる。たとえば、環境キャプチャデバイス８１０は、個人８９０からビューエリア８９３を判定するために視覚凝視コンテンツ８９２を取り込むことができる。ビューエリア８９３を、動的に適合された広告コンテンツを見せる地域またはその付近のオブジェクトに相関させることができ、たとえば、図８では、個人８９０がプレゼンテーションインターフェースコンポーネント８８０を見ていると判定することができるが、同様に、個人８９０が、たとえば自動車、食品、衣類、サービス、別の個人、セル電話機、ラップトップ機、ペット、子供などを見ていると判定することができる。したがって、視覚凝視解析を使用して、システム８００のいくつかの実施形態の環境コンテンツに関係する追加のコンテキスト情報を取り込むことができる。
【００４８】
図９は、本開示の少なくともいくつかの態様による、モバイルデバイスから地域コンテンツを受け取るように構成された動的広告コンテンツ選択システム９００の一部分の例の非限定的な実施形態のブロック図である。システム９００は、ビジュアルキャプチャコンポーネント９１１およびオーディオキャプチャコンポーネント９１２を含むことができる環境キャプチャデバイス９１０を含むことができる。図７に似て、環境キャプチャソース８１０は、例示および説明を簡単にするためにカムコーダとして図示されているが、環境キャプチャソース８１０は、それに限定されない。ビジュアルキャプチャコンポーネント９１１およびオーディオキャプチャコンポーネント９１２は、パラメトリックコンポーネント９３０が環境コンテンツを受け取るのを容易にすることができる。パラメトリックコンポーネント９３０を、動的に適合された広告コンテンツを見せる地域の少なくとも１つのパラメータ値を判定するために環境コンテンツを解析するように構成することができる。
【００４９】
さらに、システム９００は、他の環境コンテンツキャプチャコンポーネント、たとえばセル電話機９９５を含むことができる。セル電話機９９５は、多くの現代のセル電話機で一般的であるように、カメラまたはビデオシステムを備えることができ、したがって、セル電話機マイクロホンによってオーディオコンテンツを取り込むことができ、カメラまたはビデオシステムによってイメージコンテンツを取り込むことができる。セル電話機９９５を、オブジェクト識別コンポーネント９２０に通信的に結合することができる。オブジェクト識別コンポーネント９２０を、パラメトリックコンポーネント９３０に結合することができる。図示されてはいないが、セル電話機９９５を、たとえばパラメトリックコンポーネント９３０への環境キャプチャデバイス９１０の結合に似た形で、オブジェクト識別コンポーネント９２０なしでパラメトリックコンポーネント９３０に通信的に結合することができる。
【００５０】
セル電話機９９５は、環境キャプチャデバイス９１０によって取り込まれるものとは異なるものとすることができる環境コンテンツを取り込むことができる。たとえば、セル電話機９９５は、オーディオキャプチャコンポーネント９１２によって取り込まれるはずのものより高い忠実度を有することができる個人９９０からのオーディオコンテンツを取り込むことができる。さらに、セル電話機９９５を、たとえばショッピングカート９９６のコンテンツから、オブジェクト情報を取り込むように構成することができる。このオブジェクト情報を、その後、たとえばオブジェクト識別コンポーネント９２０に中継することができる。さらに、セル電話機９９５は、異なるスコープの環境コンテンツ、たとえば個人９９０および子供９９８のオーディオコンテンツ９９１およびビジュアルコンテンツを取り込むことができる。セル電話機９９５は、環境キャプチャデバイス９１０より個人９９０および子供９９８に近いものとすることができるが、個人９９０および子供９９８に関する環境コンテンツ内で入手可能な詳細のレベルを、環境キャプチャデバイス９１０のレベルより高くすることができる。さらに、環境キャプチャデバイス９１０を使用して、セル電話機９９５より広いスコープの環境コンテンツを取り込むことができ、たとえば、環境キャプチャデバイス９１０は、セル電話機９９５によって見逃される可能性があるペット９９７を取り込むことができる。したがって、ペット９９７の存在は、ペットフード広告が適当であることを示すことができるパラメータ値の投入をもたらすことができる。さらに、ペット９９７を、積極的に識別し、たとえばそのペットがより年老いていることを示す、ペットプロファイルに関連付けることができる場合に、より年老いた動物のために特に調剤されたペットフードの広告を選択するなど、広告をさらに調整することができる。追加の環境キャプチャデバイスの多数の他の例は、簡潔さのために明示的に列挙されてはいないが、本開示の範囲内で考慮される。
【００５１】
図１０は、本開示の少なくともいくつかの態様による、プライバシおよびコンプライアンスコンポーネントを含む動的広告コンテンツ選択システム１０００の例の非限定的な実施形態のブロック図である。システム１０００は、パラメトリックコンポーネント１０３０に通信的に結合できる、環境キャプチャコンポーネント１０１０およびオブジェクト識別コンポーネント１０２０を含むことができる。環境キャプチャコンポーネント１０１０は、環境キャプチャコンポーネント６１０と同一またはこれに類似するものとすることができる。オブジェクト識別コンポーネント１０２０は、オブジェクト識別コンポーネント６２０と同一またはこれに類似するものとすることができる。パラメトリックコンポーネント１０３０を、関心アナライザコンポーネント１０４０およびパラメータデータストア１０３２に通信的に結合することができる。パラメトリックコンポーネント１０３０は、パラメトリックコンポーネント６３０と同一またはこれに類似するものとすることができる。関心アナライザコンポーネント１０４０は、関心アナライザ６４０と同一またはこれに類似するものとすることができる。パラメータデータストア１０３２は、パラメータデータストア６３２と同一またはこれに類似するものとすることができる。
【００５２】
システム１０００は、さらに、プライバシおよびコンプライアンスコンポーネント１０５０を含むことができる。プライバシおよびコンプライアンスコンポーネント１０５０を、パラメータデータストア１０３２とパラメトリックコンポーネント１０３０との間に通信的に配置することができる。しかし、プライバシおよびコンプライアンスコンポーネント１０５０の配置は、それに限定されない。したがって、プライバシおよびコンプライアンスコンポーネント１０５０を、たとえば、パラメトリックコンポーネント１０３０と関心アナライザコンポーネント１０４０との間に（図示せず）または単に実現可能としてパラメトリックコンポーネント１０３０と環境キャプチャコンポーネント１０１０およびオブジェクト識別コンポーネント１０２０の一方または両方との間に（図示せず）配置することができる。プライバシおよびコンプライアンスコンポーネント１０５０を、許容できる広告を定義する１つまたは複数のルールの関数として広告コンテンツのサブセットを制限するように構成することができる。たとえば、個人の医療履歴の使用を、動的広告で禁止することができ、アルコールまたは煙草の広告を、未成年者がそのような広告コンテンツを見せる場合に制限することなどができる。さらに、反戦広告を陸軍葬の付近で制限できるなど、許容できる広告コンテンツを、保護されるクラスの関数として制限することができる。さらに、たとえば、ある個人が同僚と一緒に昼食に出かけている間にふけ取りシャンプーをその個人に提供するのを避けるために、公共スペースで選択される広告を選択されたクラスの広告に制限するなど、許容できる広告コンテンツを、所定の匿名性パラメータの関数として制限することができる。
【００５３】
図１１に、本開示の少なくともいくつかの態様による、動的広告コンテンツ選択のコンピュータ可読命令のセットの例の非限定的な実施形態の流れ図を示す。コンピュータ可読記憶媒体１１００は、コンピュータ実行可能命令を含むことができる。１１１０では、これらの命令は、広告スペースの第１部分に関連するオーディオコンテンツまたはビジュアルコンテンツを受け取るように動作することができる。オーディオコンテンツまたはビジュアルコンテンツは、当業者によって理解されるように、多数の異なるタイプのセンサによって収集することができる。このコンテンツは、たとえば、オーディオコンテンツについてマイクロホンの使用によって、あるいはビジュアルコンテンツについてカメラシステムによって、収集することができる。さらに、ビジュアルコンテンツが、静止画像ビジュアルコンテンツまたは動画ビジュアルコンテンツ、たとえば、静止画像ビジュアルコンテンツについてスナップショットもしくはビデオフレームグラブまたは動画ビジュアルコンテンツについてビデオ情報を含むことができることを理解されたい。
【００５４】
１１２０では、これらの命令は、広告スペースの第２部分に関連する識別子に関連する品目情報を受け取るように動作することができる。品目情報は、製品、デバイス、または他のオブジェクトに関連する情報を含むことができる。たとえば、品目情報は、雑誌上のバーコード、消費者電子品目のＲＦＩＤタグ、または個人が見ているポスター上の２次元バーコードなど、個人がその付近にいる製品に関連する情報を含むことができる。品目情報は、ＳＩＭ、ＩＰアドレス、ＭＡＣアドレスその他など、デバイスに関連する情報を含むこともできる。さらに、品目情報は、道路標識、建物の外観、ロゴその他など、他のオブジェクトに関連する情報を含むことができる。
【００５５】
１１３０では、命令は、広告スペースの特徴を判定することを含めて、オーディオコンテンツまたはビジュアルコンテンツおよび品目情報を解析するように動作することができる。広告スペースの特徴は、人口密度および分布、民族構成、性別構成、製品情報、履歴上の個人情報、個人プロファイル情報その他など、広告スペースのほとんどすべての態様を含むことができる。１１４０では、命令は、１１３０で判定された特徴に基づいて広告コンテンツのセットから広告コンテンツのサブセットを判定するように動作することができる。
【００５６】
図１２は、本開示の少なくともいくつかの態様による、動的広告コンテンツ選択システム１２００の例の非限定的な実施形態のブロック図である。システム１２００は、広告区域に関係するオーディオコンテンツまたはイメージコンテンツを受け取るように構成できるＡＶレシーバコンポーネント１２１０と、広告区域に関係するオブジェクト情報を受け取るように構成できるＯＤレシーバコンポーネント１２２０とを含むことができる。ＡＶレシーバコンポーネント１２１０は、環境キャプチャコンポーネント６１０もしくは１０１０または環境キャプチャデバイス７１０、８１０、もしくは９１０と同一またはこれに類似するものとすることができる。ＯＤレシーバコンポーネント１２２０は、オブジェクト識別コンポーネント６２０、７２０、９２０、または１０２０と同一またはこれに類似するものとすることができる。
【００５７】
ＡＶレシーバコンポーネント１２１０およびＯＤレシーバコンポーネント１２２０を、特徴判定コンポーネント１２３０に通信的に結合することができ、特徴判定コンポーネント１２３０を、広告区域に関連する特徴を判定するための解析を含めてオーディオコンテンツまたはイメージコンテンツおよびオブジェクト情報を解析するように構成することができる。たとえば、イメージおよびオーディオ解析は、人の存在、動物の存在、存在する個人の年齢、存在する個人の性別、人またはオブジェクトの空間分布、気象条件、時刻、季節、人またはオブジェクトの速度または方向、人の注意が向けられるところまたは注意が向けられるものその他など、広告区域の特徴を識別することができる。さらなる例として、オブジェクト情報の解析は、価格、販売履歴、成分、ターゲット聴衆人口統計、材料安全性データ、補給状況、重量、体積、相補的品目、競合品目その他などの製品情報にアクセスすることを含むことができる。いくつかの実施形態では、特徴は、関心特徴を含むことができる。たとえば、広告区域内のある個人が、その個人の身長、性別、および胴回りの解析から太りすぎであると判定され、さらに、その個人の前のパッケージング上のロゴの解析からおよびさらにパッケージングを調べるその個人の凝視の解析に基づいて、その個人がソフトドリンクのディスプレイを見ていると判定される場合に、ダイエットソフトドリンクまたは水などの低カロリー飲料がその個人にとって関心のあるものである可能性があるなど、関心特徴を判定しまたは推論することができる。いくつかの実施形態で、特徴判定コンポーネント１２３０を、パラメトリックコンポーネント６３０、７３０、８３０、９３０、または１０３０と同一またはこれに類似するものとすることができることに留意されたい。
【００５８】
特徴判定コンポーネント１２３０を、広告コンテンツサブセットコンポーネント１２４０に通信的に結合することができ、広告コンテンツサブセットコンポーネント１２４０を、および広告区域に関連する特徴に基づいて広告のサブセットを判定するように構成することができる。広告区域に関連する特徴を、フィルタ、重み付け変数などとして働くことによるなど、広告のサブセットを判定する際に使用することができる。たとえば、特徴が、識別された個人のユーザプロファイルにアクセスすることによるなど、識別された個人がキングサイズのベッドを所有することを示し、その個人が、店の寝具部門にいると判定される場合に、特徴をフィルタとして使用して、キングサイズの寝具に関係する広告サブセットだけを選択することができる。さらなる例として、その個人が、以前に赤いキングサイズの羽毛掛け布団カバーおよび赤いシーツセットを購入した場合に、プリファレンス特徴は、広告サブセットに含めるために枕カバー広告を選択する時に、青い枕カバーより好ましいものとして赤い枕カバーに重みを付けることができる。いくつかの実施形態では、広告コンテンツサブセットコンポーネント１２４０を、関心アナライザコンポーネント６４０、７４０、または１０４０と同一またはこれに類似するものとすることができる。
【００５９】
より広範囲で非限定的な例として、個人が広告区域またはその付近にいる場合に、特徴判定コンポーネント１２３０は、その個人の虹彩パターンまたは網膜パターンを識別するためにイメージ解析によってなど、その個人を識別することを試みることができる。個人が識別される場合に、特徴判定コンポーネント１２３０は、たとえばリモートサーバ、クラウド、ローカルデータストアなどから識別された個人の製品プリファレンス履歴を受け取ることによって、識別された個人に関連する情報を受け取ることができる。さらに、特徴判定コンポーネント１２３０は、広告区域内の、購入に使用可能な製品などのオブジェクトを識別しようと努めることができる。例として、特徴判定コンポーネント１２３０は、棚に置かれた製品のロゴのイメージ解析によるなど、広告区域内で複数の美容健康製品を識別することができ、したがって、その広告区域を美容健康（ＨＡＢＡ）製品関連とすることができると判定することができる。
【００６０】
識別された個人の製品プリファレンス履歴にアクセスして、ＨＡＢＡ製品プリファレンス履歴を収集することができる。次に、特徴判定コンポーネント１２３０は、製品プリファレンス履歴を解析して、たとえば、ＨＡＢＡ製品の関心重要性（ｉｎｔｅｒｅｓｔ  ｓｉｇｎｉｆｉｃａｎｃｅ）係数を判定することができる。たとえば、ＨＡＢＡカテゴリなどの第ｉ日用品カテゴリの関心重要性を、
【数１】
2013522805.tif 000003
に従って計算することができ、ここで、ａは、所定のスカラであり、ｎは、個人製品プリファレンス履歴からの関心オカレンス（ｉｎｔｅｒｅｓｔ  ｏｃｃｕｒｒｅｎｃｅ）の個数であり、ｔｊは、第ｊ関心ヒストリックオカレンス以降に経過した時間である。関心オカレンスは、その個人が２週間前にあるＨＡＢＡ製品のクーポンを調べた、その個人が２日前にあるＨＡＢＡ製品についてブログに書いた、その個人が１ヶ月前にあるＨＡＢＡ製品を購入した、その他など、その個人が第ｉ製品カテゴリへの関心を示す挙動にかかわったことを示す製品プリファレンス履歴内に記録されたイベントとすることができる。関心重要性Ｓ（ｉ）を形成する負の指数曲線の和を、第ｉカテゴリへの関心の経時的な全般的低下に関連付けることができ、エビングハウス曲線などの「忘却曲線」に関係付けることができる。
【００６１】
例示的な関心重要性を、広告コンテンツサブセットコンポーネント１２４０による広告サブセットの判定で使用することができる。関心重要性の値が大きい場合には、たとえば、その個人のモバイルデバイス上など、その個人に提示される動的広告にＨＡＢＡ製品を含めることが好ましい可能性がある。対照的に、関心重要性が小さい場合には、その個人へのＨＡＢＡ広告を制限することが好ましい可能性がある。さらに、追加の所定のスカラ値ｂを使用して、ある個人が製品を直接に凝視している時、製品を手にしている時、オンラインである品目を能動的に検索している時その他などに、特定の品目へのその個人の関心ｎｉを増幅することができる。したがって、前の式を
【数２】
2013522805.tif 000004
に変更することができる。
たとえば、Ｉ（ｉ）は、組み合わされた関心係数を表し、関心カテゴリへの識別された個人の履歴上の関心と現在の関心との両方および関心を持たれている特定の品目とを計上することができる。広告ゾーンの特徴の明示的な判定および広告コンテンツのサブセットの判定の多数の他の例は、簡潔にするために提示されないが、そのような例のすべてが、本開示の範囲内で考慮される。先行する広範囲で非限定的な例は、単に本開示のいくつかの実施形態のより微妙な態様のいくつかを例示するために提示され、本開示に対する境界または制限を作成せずに明確に提示されるものである。
【００６２】
図１３は、本開示の少なくともいくつかの態様による、動的広告コンテンツ選択コンピューティングデバイス１３００の例の非限定的な実施形態のブロック図である。コンピューティングデバイス１３００は、スチールカメラ、ビデオカメラ、またはビデオフレームキャプチャデバイスなど、遠隔に位置するイメージコンテンツソースからイメージコンテンツを受け取るように構成されたイメージ処理コンポーネント１３１１を含むことができる。イメージコンテンツを、動的に適合された広告コンテンツを見せる地域の第１部分に関連付けることができる。
【００６３】
コンピューティングデバイス１３００は、さらに、遠隔に位置するオーディオコンテンツソースからオーディオコンテンツを受け取るように構成されたオーディオ処理コンポーネント１３１２を含むことができ、このオーディオコンテンツは、地域の第２部分に関連する。遠隔に位置するオーディオコンテンツソースは、たとえば、外部マイクロホン、マイクロホンの指向性アレイ、ビデオカメラに関連するマイクロホン、モバイル通信デバイスマイクロホン、またはモバイルデバイスマイクロホンを含むことができる。
【００６４】
さらに、コンピューティングデバイス１３００は、オブジェクト検索コンポーネント１３２０を含むことができる。オブジェクト検索コンポーネント１３２０を、遠隔に位置するオブジェクト情報ソースからオブジェクト情報を受け取るように構成することができ、このオブジェクト情報は、地域の第３部分またはその付近にあると判定されたオブジェクト識別子に関連する。遠隔に位置するオブジェクト識別ソースは、たとえば、ＲＦＩＤリーダ、バーコードリーダ、マトリックスコードリーダ、多次元バーコードリーダ、ＳＩＭリーダ、ｅＳＩＭリーダ、ＭＡＣアドレスリーダ、ＩＰアドレスリーダ、電子メールアドレスリーダ、またはメンバネットワーキングサービスのソーシャルグループに関連するユーザ名のリーダとすることができる。オブジェクト情報は、製品情報、インターネット検索履歴、個人プロファイル、個人プリファレンス、人口統計情報、購入履歴、広告応答履歴、プロビジョニング情報、スケジュール情報などを含むことができる。
【００６５】
イメージ処理コンポーネント１３１１、オーディオ処理コンポーネント１３１２、およびオブジェクト検索コンポーネント１３２０を、ランクコンポーネント１３３０に通信的に結合することができる。さらに、地域の第１部分、地域の第２部分、および地域の第３部分を、本明細書の他所で説明するものに似た形で、地域の同一の部分、異なるがオーバーラップする部分、または異なり、オーバーラップしない部分とすることができる。
【００６６】
ランクコンポーネント１３３０を、所定のランキングルールに従って地域の特徴をランキングするために、イメージコンテンツ、オーディオコンテンツ、およびオブジェクト情報を解析するように構成することができる。地域の特徴は、人口密度／分布、民族構成、性別構成、製品情報、履歴上の個人情報、個人プロファイル情報その他など、地域のほとんどすべての態様を含むことができる。ランキングルールは、地域の特徴に適合された広告のサブセットを選択できるように、地域の認識される特徴を順序付けるのを容易にすることができる。ランクコンポーネント１３３０を、コンテンツ選択コンポーネント１３４０に通信的に結合することができる。
【００６７】
コンテンツ選択コンポーネント１３４０を、ランクコンポーネント１３３０によってランキングされた特徴の関数として広告コンテンツのセットから広告コンテンツのサブセットを判定するように構成することができる。
【００６８】
非限定的な例として、コンピューティングデバイスを、遠隔に位置する広告地域のイメージコンテンツ、オーディオコンテンツ、およびオブジェクト情報コンテンツを受け取り、その地域の特徴をランキングし、その地域の広告コンテンツを動的に選択するサーバ側デバイスとすることができる。複数の遠隔に位置する地域に、同一のサーバ側デバイスからサービスすることができ、そのような構成が、ある種の利益を提供できることを理解されたい。たとえば、サーバ側デバイスは、単一の店または会場内、複数の店または会場にまたがる、地域的な、または任意の他のレベルの粒度での、複数の遠隔に位置する広告地域に動的に選択された広告コンテンツを供給することができる。
【００６９】
図１４は、本開示の少なくともいくつかの実施形態による、動的広告コンテンツ選択コンピューティングデバイス１４００の例の非限定的な実施形態のブロック図である。コンピューティングデバイス１４００は、スチールカメラ、ビデオカメラ、またはビデオフレームキャプチャデバイスなど、遠隔に位置するイメージコンテンツソースからイメージコンテンツを受け取るように構成されたイメージ処理コンポーネント１４１１を含むことができる。イメージコンテンツを、動的に適合された広告コンテンツを見せる地域の第１部分に関連付けることができる。イメージ処理コンポーネント１４１１は、イメージ処理コンポーネント１３１１と同一またはこれに類似するものとすることができる。
【００７０】
コンピューティングデバイス１４００は、遠隔に位置するオーディオコンテンツソースからオーディオコンテンツを受け取るように構成されたオーディオ処理コンポーネント１４１２を含むこともでき、このオーディオコンテンツは、地域の第２部分に関連する。オーディオ処理コンポーネント１４１２は、オーディオ処理コンポーネント１３１２と同一またはこれに類似するものとすることができる。
【００７１】
コンピューティングデバイス１４００は、さらに、オブジェクト検索コンポーネント１４２０を含むことができる。オブジェクト検索コンポーネント１４２０を、遠隔に位置するオブジェクト情報ソースからオブジェクト情報を受け取るように構成することができ、このオブジェクト情報は、地域の第３部分またはその付近にあると判定されたオブジェクト識別子に関連する。オブジェクト検索コンポーネント１４２０は、オブジェクト検索コンポーネント１３２０と同一またはこれに類似するものとすることができる。
【００７２】
イメージ処理コンポーネント１４１１、オーディオ処理コンポーネント１４１２、およびオブジェクト検索コンポーネント１４２０を、ランクコンポーネント１４３０に通信的に結合することができる。ランクコンポーネント１４３０を、所定のランキングルールに従って地域の特徴をランキングするために、イメージコンテンツ、オーディオコンテンツ、およびオブジェクト情報を解析するように構成することができる。ランクコンポーネント１４３０は、ランクコンポーネント１３３０と同一またはこれに類似するものとすることができる。ランクコンポーネント１４３０を、ランクコンポーネント１４３０によってランキングされた特徴の関数として広告コンテンツのセットから広告コンテンツのサブセットを判定するように構成されたコンテンツ選択コンポーネント１４４０に通信的に結合することができる。コンテンツ選択コンポーネント１４４０は、コンテンツ選択コンポーネント１３４０と同一またはこれに類似するものとすることができる。
【００７３】
コンテンツ選択コンポーネント１４４０を、出力コンポーネント１４５０に通信的に結合することができる。出力コンポーネントは、図示のようにコンピューティングデバイス１４００にローカルとすることができ、あるいは遠隔配置することができる（図示せず）。一実施形態では、出力コンポーネント１４５０を、動的に適合された広告コンテンツを見せる地域でのプレゼンテーションのために広告コンテンツのサブセットにアクセスするのを容易にするように構成することができる。たとえば、コンピューティングデバイス１４００をサーバ側デバイスとすることができる場合に、出力コンポーネント１４５０は、たとえば動的に適合された広告コンテンツを見せる地域の遠隔に位置するディスプレイによる広告コンテンツの判定されたサブセットへのアクセスを提供することができる。別の実施形態では、出力コンポーネント１４５０を、動的に適合された広告コンテンツを見せる地域で広告コンテンツのサブセットをレンダリングするように構成することができる。例として、広告のサブセットのレンダリングは、動的に適合された広告コンテンツを見せる地域またはその付近に配置されたモバイルデバイスへの広告のストリーミングの一部とすることができる。
【００７４】
図１５に、本開示の少なくともいくつかの態様による、動的広告コンテンツ選択のコンピュータ可読命令のセットの例の非限定的な実施形態の流れ図を示す。コンピュータ可読記憶媒体１５００は、コンピュータ実行可能命令を含むことができる。１５１０では、これらの命令は、遠隔に位置するイメージコンテンツソースからイメージコンテンツを受け取るように動作することができ、イメージコンテンツは、動的広告コンテンツを見せる地域の第１部分に関連する。１５２０では、これらの命令は、遠隔に位置するオーディオコンテンツソースからオーディオコンテンツを受け取るように動作することができ、オーディオコンテンツは、動的広告コンテンツを見せる地域の第２部分に関連する。イメージコンテンツおよびオーディオコンテンツを、本明細書で開示されるように多数の異なるタイプの遠隔センサによって収集することができる。コンテンツを、たとえば、オーディオコンテンツについてマイクロホンの使用によって、あるいはイメージコンテンツについてカメラシステムによって、収集することができる。さらに、イメージコンテンツが、静止画像ビジュアルコンテンツまたは動画ビジュアルコンテンツを含むことができることを理解されたい。
【００７５】
１５３０では、命令は、遠隔に位置するオブジェクト情報ソースからオブジェクト情報を受け取るように動作することができ、オブジェクト情報は、動的広告コンテンツを見せる地域の第３部分に関連する。地域の第１部分、地域の第２部分、および地域の第３部分を、本明細書の他所で説明するものに似た形で、地域の同一の部分、異なるがオーバーラップする部分、または異なり、オーバーラップしない部分とすることができる。オブジェクト情報は、製品、デバイス、または他のオブジェクトに関連する情報を含むことができる。たとえば、オブジェクト情報は、ショウルーム内の製品のＲＦＩＤタグなど、地域内の製品に関連する情報を含むことができる。オブジェクト情報は、ＳＩＭ、ＩＰアドレス、ＭＡＣアドレスその他など、デバイスに関連する情報を含むこともできる。さらに、オブジェクト情報は、ペット、木、気象その他など、他のオブジェクトに関連する情報を含むことができる。
【００７６】
１５４０では、命令は、所定のランキングルールに従って地域の特徴をランキングすることを含めて、イメージコンテンツ、オーディオコンテンツ、およびオブジェクト情報を解析するように動作することができる。地域の特徴は、人口密度および分布、民族構成、性別構成、製品情報、履歴上の個人情報、個人プロファイル情報その他など、広告スペースのほとんどすべての態様を含むことができる。１５５０では、命令は、地域の特徴のランキングに応答して、広告コンテンツのセットから広告コンテンツのサブセットを判定するためのものとすることができる。
【００７７】
非限定的な例として、コンピュータ可読記憶媒体１５００は、命令の実行に応答して、遠隔に位置する広告地域のイメージコンテンツ、オーディオコンテンツ、およびオブジェクト情報コンテンツを受け取る動作と、その地域の特徴をランキングする動作と、その地域の広告コンテンツを動的に選択する動作とをサーバ側コンピュータに実行させる、サーバ側コンピュータ用のコンピュータ可読命令を含むことができる。
【００７８】
図１６は、本開示の少なくともいくつかの実施形態による、広告コンテンツを動的に選択するために配置された例のコンピューティングデバイス１６００を示すブロック図である。非常に基本的な構成１６０２では、コンピューティングデバイス１６００は、通常、１つまたは複数のプロセッサ１６０４およびシステムメモリ１６０６を含む。メモリバス１６０８を、プロセッサ１６０４とシステムメモリ１６０６との間の通信に使用することができる。
【００７９】
所望の構成に応じて、プロセッサ１６０４を、マイクロプロセッサ（μＰ）、マイクロコントローラ（μＣ）、ディジタル信号プロセッサ（ＤＳＰ）、またはその任意の組合せを含むがこれらに限定されない任意のタイプのプロセッサとすることができる。プロセッサ１６０４は、レベル１キャッシュ１６１０およびレベル２キャッシュ１６１２などのもう１つのレベルのキャッシング、プロセッサコア１６１４、およびレジスタ１６１６を含むことができる。例のプロセッサコア１６１４は、算術論理ユニット（ＡＬＵ）、浮動小数点ユニット（ＦＰ）、ディジタル信号処理コア（ＤＳＰコア）、またはその任意の組合せを含むことができる。例のメモリコントローラ１６１８を、プロセッサ１６０４と共に使用することもでき、あるいは、いくつかの実施態様では、メモリコントローラ１６１８をプロセッサ１６０４内の一部分とすることができる。
【００８０】
所望の構成に応じて、システムメモリ１６０６は、揮発性メモリ（ＲＡＭなど）、不揮発性メモリ（ＲＯＭ、フラッシュメモリその他など）、またはその任意の組合せを含むがこれらに限定されない任意のタイプのメモリとすることができる。システムメモリ１６０６は、オペレーティングシステム１６２０、１つまたは複数のアプリケーション１６２２、およびプログラムデータ１６２４を含むことができる。アプリケーション１６２２は、図６の動的広告コンテンツ選択システム６００に関して説明したものを含む、本明細書で説明される機能を実行するように配置された動的広告選択アルゴリズム１６２６を含むことができる。プログラムデータ１６２４は、本明細書で説明されるように、動的広告選択アルゴリズム１６２６と共に動作するのに有用である可能性があるターゲット知覚コンテンツ１６２８を含むことができる。いくつかの実施形態では、アプリケーション１６２２を、本明細書で説明されるように動的広告選択を提供できるように、オペレーティングシステム１６２０上でプログラムデータ１６２４を用いて動作するように配置することができる。この説明された基本的な構成１６０２は、図１６では内側の破線内のコンポーネントによって示される。
【００８１】
コンピューティングデバイス１６００は、追加の特徴または機能性ならびに基本的な構成１６０２とすべての必要なデバイスおよびインターフェースとの間の通信を容易にするための追加のインターフェースを有することができる。たとえば、バス／インターフェースコントローラ１６３０を使用して、基本的な構成１６０２と１つまたは複数のデータ記憶装置１６３２との間のストレージインターフェースバス１６３４を介する通信を容易にすることができる。データ記憶装置１６３２は、取外し式記憶装置１６３６、非取外し式記憶装置１６３８、またはその組合せとすることができる。取外し式記憶装置および非取外し式記憶装置の例は、２〜３例を挙げると、フレキシブルディスクドライブおよびハードディスクドライブ（ＨＤＤ）などの磁気ディスクデバイス、コンパクトディスク（ＣＤ）ドライブまたはディジタル多用途ディスク（ＤＶＤ）ドライブなどの光ディスクドライブ、ソリッドステートドライブ（ＳＳＤ）、およびテープドライブを含む。コンピュータ記憶媒体の例は、コンピュータ可読命令、データ構造、プログラムモジュール、または他のデータなどの情報の格納のための任意の方法または技術で実施される、揮発性および不揮発性の、取外し式および非取外し式の媒体を含むことができる。
【００８２】
システムメモリ１６０６、取外し式記憶装置１６３６、および非取外し式記憶装置１６３８は、コンピュータ記憶媒体の例である。コンピュータ記憶媒体は、ＲＡＭ、ＲＯＭ、ＥＥＰＲＯＭ、フラッシュメモリ、または他のメモリ技術、ＣＤ−ＲＯＭ、ディジタル多用途ディスク（ＤＶＤ）、または他の光ストレージ、磁気カセット、磁気テープ、磁気ディスクストレージ、または他の磁気記憶装置、あるいは所望の情報を格納するのに使用でき、コンピューティングデバイス１６００によってアクセスできる任意の他の媒体を含むが、これに限定はされない。そのようなすべてのコンピュータ記憶媒体を、コンピューティングデバイス１６００の一部とすることができる。
【００８３】
コンピューティングデバイス１６００は、さまざまなインターフェースデバイス（たとえば、出力デバイス１６４２、周辺インターフェース１６４４、および通信デバイス１６４６）から基本的な構成１６０２へのバス／インターフェースコントローラ１６３０を介する通信を容易にするインターフェースバス１６４０を含むこともできる。例の出力デバイス１６４２は、１つまたは複数のＡ／Ｖポート１６５２を介してディスプレイまたはスピーカなどのさまざまな外部デバイスへ通信するように構成できる、グラフィックス処理ユニット１６４８およびオーディオ処理ユニット１６５０を含む。例の周辺インターフェース１６４４は、１つまたは複数のＩ／Ｏポート１６５８を介して入力デバイス（たとえば、キーボード、マウス、ペン、音声入力デバイス、タッチ入力デバイスなど）または他の周辺デバイス（たとえば、プリンタ、スキャナなど）などの外部デバイスと通信するように構成できる、シリアルインターフェースコントローラ１６５４またはパラレルインターフェースコントローラ１６５６を含む。例の通信デバイス１６４６は、１つまたは複数の通信ポート１６６４を介するネットワーク通信リンク上での１つまたは複数の他のコンピューティングデバイス１６６２との通信を容易にするように配置できる、ネットワークコントローラ１６６０を含む。
【００８４】
ネットワーク通信リンクを、通信媒体の１つの例とすることができる。通信媒体は、通常、搬送波または他のトランスポート機構などの変調されたデータ信号内のコンピュータ可読命令、データ構造、プログラムモジュール、または他のデータによって実施され得、任意の情報配送媒体を含むことができる。「変調されたデータ信号」は、信号内で情報を符号化するようにその特性のうちの１つまたは複数を設定されまたは変更された信号とすることができる。限定ではなく例として、通信媒体は、有線ネットワークまたは直接配線接続などの有線媒体と、音響、無線周波数（ＲＦ）、マイクロ波、赤外線（ＩＲ）、および他の無線媒体などの無線媒体とを含むことができる。本明細書で使用される時に、用語コンピュータ可読媒体は、記憶媒体と通信媒体との両方を含むことができる。
【００８５】
コンピューティングデバイス１６００を、セル電話機、携帯情報端末（ＰＤＡ）、パーソナルメディアプレイヤデバイス、無線ウェブウォッチデバイス、パーソナルヘッドセットデバイス、特定用途向けデバイス、または上記機能のいずれかを含むハイブリッドデバイスなどの小フォームファクタポータブル（またはモバイル）電子デバイスの一部として実施することができる。コンピューティングデバイス１６００を、ラップトップコンピュータ構成と非ラップトップコンピュータ構成との両方を含むパーソナルコンピュータとして実施することもできる。
【００８６】
本開示は、本明細書で説明される特定の実施形態に関して限定されてはならず、本明細書で説明される特定の実施形態は、さまざまな態様の例示として意図されたものである。当業者に明らかであるように、多数の修正形態および変形形態を、その趣旨および範囲から逸脱せずに作ることができる。本開示の範囲内の機能的に同等の方法および装置は、本明細書で列挙されたものに加えて、前述の説明から当業者に明らかになる。そのような修正形態および変形形態は、添付の特許請求の範囲の範囲に含まれることが意図されている。本開示は、添付の特許請求の範囲が権利を与えられる同等物のすべての範囲と一緒に、添付の特許請求の範囲の言葉によってのみ限定されなければならない。本開示が、もちろん変化し得る特定の方法、試薬、化合物、組成、または生物系に限定されないことを理解されたい。また、本明細書で使用される用語法が、特定の実施形態を説明するのみのためのものであって、限定的であることは意図されていないことを理解されたい。
【００８７】
例示的実施形態では、本明細書で説明された動作、プロセスその他のいずれをも、コンピュータ可読媒体上に格納されたコンピュータ可読命令として実施することができる。コンピュータ可読命令を、モバイルユニット、ネットワーク要素、および／または任意の他のコンピューティングデバイスのプロセッサによって実行することができる。
【００８８】
システムの諸態様のハードウェア実施態様とソフトウェア実施態様との間にはほとんど区別が残されておらず、ハードウェアまたはソフトウェアの使用は、一般に（ある種の文脈でハードウェアとソフトウェアとの間の選択が重要になり得るという点で必ずではない）コスト対効率のトレードオフを表す設計選択である。本明細書で説明されるプロセスおよび／またはシステムおよび／または他の技術をもたらすことのできるさまざまな手段があり（たとえば、ハードウェア、ソフトウェア、および／またはファームウェア）、好ましい手段が、そのプロセスおよび／またはシステムおよび／または他の技術が展開される文脈に伴って変化すること。たとえば、実装者が、速度および正確さが主要であると判定する場合に、実装者は、主にハードウェア手段および／またはファームウェア手段を選ぶことができ、柔軟性が主要である場合には、実装者は、主にソフトウェア実施態様を選ぶことができ、あるいは、やはりその代わりに、実装者は、ハードウェア、ソフトウェア、および／またはファームウェアのある組合せを選ぶことができる。
【００８９】
前述の詳細な説明は、ブロック図、流れ図、および／または例の使用を介してデバイスおよび／またはプロセスのさまざまな実施形態を示した。そのようなブロック図、流れ図、および／または例が、１つまたは複数の機能および／または動作を含む限り、そのようなブロック図、流れ図、または例に含まれる各機能および／または各動作を、個別におよび／または集合的に、広範囲のハードウェア、ソフトウェア、ファームウェア、または事実上すべてのその組合せによって実施できることが、当業者によって理解されるであろう。一実施形態では、本明細書で説明される主題の複数の部分を、特定用途向け集積回路（ＡＳＩＣ）、フィールドプログラマブルゲートアレイ（ＦＰＧＡ）、ディジタル信号プロセッサ（ＤＳＰ）、または他の集積フォーマットを介して実施することができる。しかし、当業者は、本明細書で開示される実施形態のいくつかの態様を、全体的にまたは部分的に、集積回路内で、１つまたは複数のコンピュータ上で動作する１つまたは複数のコンピュータプログラムとして（たとえば、１つまたは複数のコンピュータシステム上で動作する１つまたは複数のプログラムとして）、１つまたは複数のプロセッサ上で動作する１つまたは複数のプログラムとして（たとえば、１つまたは複数のマイクロプロセッサ上で動作する１つまたは複数のプログラムとして）、ファームウェアとして、または事実上すべてのそれらの組合せとして同等に実施できること、回路網の設計ならびに／あるいはソフトウェアおよびまたはファームウェアのコードの記述が、本開示を考慮すると当業者の技量に十分に含まれることを認めるであろう。さらに、当業者は、本明細書で説明される主題の機構を、さまざまな形でプログラム製品として配布できること、本明細書で説明される主題の例示的実施形態が、配布を実際に実行するのに使用される信号担持媒体の特定のタイプにかかわりなく適用されることを理解するであろう。信号担持媒体の例は、フロッピディスク、ハードディスクドライブ、ＣＤ、ＤＶＤ、ディジタルテープ、コンピュータメモリ、その他などの記録可能型媒体と、ディジタル通信媒体および／またはアナログ通信媒体（たとえば、光ファイバケーブル、導波管、有線通信リンク、無線通信リンクなど）などの伝送型媒体とを含むが、これらに限定はされない。
【００９０】
当業者は、当技術分野で、デバイスおよび／またはプロセスを本明細書で示す形で記述し、その後、工学的実践を使用して、そのように記述されたデバイスおよび／またはプロセスをデータ処理システムに統合することが一般的であることを認めるであろう。すなわち、本明細書で説明されるデバイスおよび／またはプロセスの少なくとも一部を、妥当な量の実験を介してデータ処理システムに統合することができる。当業者は、通常のデータ処理システムが、一般に、システムユニットハウジング、ビデオディスプレイデバイス、揮発性メモリおよび不揮発性メモリなどのメモリ、マイクロプロセッサおよびディジタル信号プロセッサなどのプロセッサ、オペレーティングシステム、ドライバ、グラフィカルユーザインターフェース、およびアプリケーションプログラムなどの計算エンティティ、タッチパッドまたはタッチ画面などの１つまたは複数の対話デバイス、ならびに／あるいはフィードバックループおよび制御モータ（たとえば、位置および／または速度を感知するフィードバック、コンポーネントおよび／または量を移動しかつ／または調整する制御モータ）を含む制御システムのうちの１つまたは複数を含むことを認めるであろう。通常のデータ処理システムを、通常、データコンピューティング／通信および／またはネットワークコンピューティング／通信システムで見られるものなど、任意の適切な市販コンポーネントを利用して実施することができる。
【００９１】
本明細書で説明される主題は、時々、異なる他のコンポーネントに含まれるかこれに接続される異なるコンポーネントを示す。そのような図示のアーキテクチャが、単なる例であること、実際に、同一の機能性を達成する多数の他のアーキテクチャを実施できることを理解されたい。概念的な意味で、同一の機能性を達成するためのコンポーネントのすべての配置は、所望の機能性が達成されるように効果的に「関連付けられる」。したがって、特定の機能性を達成するために組み合わされる本明細書の任意の２つのコンポーネントを、アーキテクチャまたは中間コンポーネントにかかわりなく、所望の機能性が達成されるように互いに「関連付けられる」と見なすことができる。同様に、そのように関連付けられた任意の２つのコンポーネントを、所望の機能性を達成するために互いに「動作可能に接続される」または「動作可能に結合される」と見なすこともでき、そのように関連付けられ得る任意の２つのコンポーネントを、所望の機能性を達成するために互いに「動作可能に結合可能である」と見なすこともできる。動作可能に結合可能の特定の例は、物理的に嵌合可能なコンポーネントおよび／または物理的に相互作用するコンポーネント、ならびに／あるいは無線で相互作用可能なコンポーネントおよび／または無線で相互作用するコンポーネント、ならびに／あるいは論理的に相互作用するコンポーネントおよび／または論理的に相互作用可能なコンポーネントを含むが、これらに限定はされない。
【００９２】
本明細書での実質的にすべての複数形および／または単数形の用語の使用に関して、当業者は、文脈および／または応用例に適切に、複数形から単数形におよび／または単数形から複数形に変換することができる。さまざまな単数／複数の置換が、明瞭にするために本明細書で明示的に示される場合がある。
【００９３】
一般に、本明細書、特に添付の特許請求の範囲（たとえば、添付の特許請求の範囲の本体）で使用される用語が、一般に、「開かれた」用語として意図されている（たとえば、用語「ｉｎｃｌｕｄｉｎｇ（含む）」は、「ｉｎｃｌｕｄｉｎｇ  ｂｕｔ  ｎｏｔ  ｌｉｍｉｔｅｄ  ｔｏ（含むがこれに限定されない）」と解釈されなければならず、用語「ｈａｖｉｎｇ（有する）」は、「ｈａｖｉｎｇ  ａｔ  ｌｅａｓｔ（少なくとも〜を有する）」と解釈されなければならず、用語「ｉｎｃｌｕｄｅｓ（含む）」は、「ｉｎｃｌｕｄｅｓ  ｂｕｔ  ｎｏｔ  ｌｉｍｉｔｅｄ  ｔｏ（含むがこれに限定されない）」と解釈されなければならないなど）ことが、当業者によって理解されるであろう。さらに、特定の個数の導入される請求項具陳が意図される場合には、そのような意図が、特許請求の範囲で明示的に具陳され、そのような具陳がない場合には、そのような意図が存在しないことが、当業者によって理解されるであろう。たとえば、理解の助けとして、次の添付の特許請求の範囲は、請求項具陳を導入するために導入句「ａｔ  ｌｅａｓｔ  ｏｎｅ（少なくとも１つの）」および「ｏｎｅ  ｏｒ  ｍｏｒｅ（１つまたは複数の）」の使用を含む場合がある。しかし、そのような句の使用は、同一の請求項が導入句「ｏｎｅ  ｏｒ  ｍｏｒｅ」または「ａｔ  ｌｅａｓｔ  ｏｎｅ」および「ａ」または「ａｎ」などの不定冠詞を含む時であっても、不定冠詞「ａ」または「ａｎ」による請求項具陳の導入が、そのように導入された請求項具陳を含む任意の特定の請求項を１つのみのそのような具陳を含む実施形態に限定することを暗示すると解釈されてはならず（たとえば、「ａ」および／または「ａｎ」は、「ａｔ  ｌｅａｓｔ  ｏｎｅ」または「ｏｎｅ  ｏｒ  ｍｏｒｅ」を意味すると解釈されなければならない）、同一のことが、請求項具陳を導入するのに使用される定冠詞の使用にもあてはまる。さらに、特定の個数の導入される請求項具陳が明示的に具陳される場合であっても、当業者は、そのような具陳を、少なくとも具陳された数を意味する（たとえば、他の修飾成句を伴わない「２つの具陳」という裸の具陳は、少なくとも２つの具陳または複数の具陳を意味する）と解釈しなければならないことを認めるであろう。さらに、「ａｔ  ｌｅａｓｔ  ｏｎｅ  ｏｆ  Ａ，  Ｂ，  ａｎｄ  Ｃ，  ｅｔｃ．（Ａ、Ｂ、およびＣのうちの少なくとも１つ、など）」に類似する慣例が使用される場合に、一般に、そのような構文は、当業者がその慣例を理解する意味であることが意図されている（たとえば、「ａ  ｓｙｓｔｅｍ  ｈａｖｉｎｇ  ａｔ  ｌｅａｓｔ  ｏｎｅ  ｏｆ  Ａ，  Ｂ，  ａｎｄ  Ｃ（Ａ、Ｂ、およびＣのうちの少なくとも１つを有するシステム）」は、Ａのみ、Ｂのみ、Ｃのみ、ＡとＢとを一緒に、ＡとＣとを一緒に、ＢとＣとを一緒に、ならびに／またはＡ、Ｂ、およびＣを一緒に有するシステムを含むが、これに限定はされないなど）。「ａｔ  ｌｅａｓｔ  ｏｎｅ  ｏｆ  Ａ，  Ｂ，  ｏｒ  Ｃ，  ｅｔｃ．（Ａ、Ｂ、またはＣのうちの少なくとも１つ、など）」に類似する慣例が使用される場合に、一般に、そのような構文は、当業者がその慣例を理解する意味であることが意図されている（たとえば、「ａ  ｓｙｓｔｅ���  ｈａｖｉｎｇ  ａｔ  ｌｅａｓｔ  ｏｎｅ  ｏｆ  Ａ，  Ｂ，  ｏｒ  Ｃ（Ａ、Ｂ、またはＣのうちの少なくとも１つを有するシステム）」は、Ａのみ、Ｂのみ、Ｃのみ、ＡとＢとを一緒に、ＡとＣとを一緒に、ＢとＣとを一緒に、ならびに／またはＡ、Ｂ、およびＣを一緒に有するシステムを含むが、これに限定はされないなど）。さらに、複数の代替の項目を表す事実上すべての離接的単語および／または句は、この説明、特許請求の範囲、または図面のいずれに含まれるものであれ、項目のうちの１つ、項目のいずれか、または両方の項目を含む可能性を企図すると理解されなければならないことが、当業者によって理解されるであろう。たとえば、句「Ａ  ｏｒ  Ｂ（ＡまたはＢ）」は、「Ａ」または「Ｂ」または「ＡおよびＢ」の可能性を含むと理解されるであろう。
【００９４】
さらに、本開示の特徴または態様が、Ｍａｒｋｕｓｈ  ｇｒｏｕｐに関して説明される場合に、当業者は、本開示が、これによってＭａｒｋｕｓｈ  ｇｒｏｕｐの任意の個々のメンバまたはメンバのサブグループに関しても説明されることを認めるであろう。
【００９５】
当業者によって理解されるように、書かれた説明を提供することに関してなど、すべてにおいて、本明細書で開示されるすべての範囲は、任意のすべての可能な部分範囲およびその部分範囲の組合せをも包含する。すべてのリストされた範囲を、少なくとも等しい半分、１／３、１／４、１／５、１／１０などに分割された同一の範囲を十分に記述し、可能にするものとしてたやすく認めることができる。非限定的な例として、本明細書で述べられる各範囲を、下側１／３、中央１／３、および上側１／３などにたやすく分解することができる。やはり当業者によって理解されるように、「ｕｐ  ｔｏ（まで）」、「ａｔ  ｌｅａｓｔ（少なくとも）」、および類似物などのすべての言葉は、具陳された数を含み、その後に上で述べたように部分範囲に分割され得る範囲に言及する。最後に、当業者によって理解されるように、範囲は、各個々のメンバを含む。したがって、たとえば、１〜３個のセルを有する群は、１個、２個、または３個のセルを有する群に言及する。同様に、１〜５個のセルを有する群は、１個、２個、３個、４個、または５個のセルを有する群に言及するなどである。
【００９６】
前述から、本開示のさまざまな実施形態が、本明細書で例示のために説明されたこと、さまざまな変更を、本開示の範囲および趣旨から逸脱せずに行うことができることを理解されたい。したがって、本明細書で開示されるさまざまな実施形態は、限定的であることを意図されてはおらず、真の範囲および趣旨は、次の特許請求の範囲によって示される。
【図１】
2013522805.tif 000005
【図２】
2013522805.tif 000006
【図３】
2013522805.tif 000007
【図４】
2013522805.tif 000008
【図５】
2013522805.tif 000009
【図６】
2013522805.tif 000010
【図７】
2013522805.tif 000011
【図８】
2013522805.tif 000012
【図９】
2013522805.tif 000013
【図１０】
2013522805.tif 000014
【図１１】
2013522805.tif 000015
【図１２】
2013522805.tif 000016
【図１３】
2013522805.tif 000017
【図１４】
2013522805.tif 000018
【図１５】
2013522805.tif 000019
【図１６】
2013522805.tif 000020
【手続補正書】
【提出日】平成23年12月26日(2011.12.26)
【手続補正１】
【補正対象書類名】明細書
【補正対象項目名】００２２
【補正方法】変更
【補正の内容】
【００２２】
さらに、実施形態は、適当なターゲット知覚コンテンツのイメージ解析の他の形を含むことができる。たとえば、解析は、顔パターンについてターゲット知覚コンテンツを解析することを含むことができる。顔パターンは、性別、民族性、気分、年齢、アイデンティティなどを示すことができる。イメージ解析の追加の非限定的な例として、個人の歩行解析を実行することができる。歩行解析は、年齢、速度、方向、体重、性別などを示すことができる。多数の他のイメージ解析技法を、ターゲット知覚コンテンツの解析の一部として使用することができ、そのようなすべての技法は、簡潔さおよび明瞭さのために本明細書では列挙されないが、本開示の範囲に含まれると考えられる。
【手続補正２】
【補正対象書類名】明細書
【補正対象項目名】００４８
【補正方法】変更
【補正の内容】
【００４８】
図９は、本開示の少なくともいくつかの態様による、モバイルデバイスから地域コンテンツを受け取るように構成された動的広告コンテンツ選択システム９００の一部分の例の非限定的な実施形態のブロック図である。システム９００は、ビジュアルキャプチャコンポーネント９１１およびオーディオキャプチャコンポーネント９１２を含むことができる環境キャプチャデバイス９１０を含むことができる。図７に似て、環境キャプチャソース９１０は、例示および説明を簡単にするためにカムコーダとして図示されているが、環境キャプチャソース９１０は、それに限定されない。ビジュアルキャプチャコンポーネント９１１およびオーディオキャプチャコンポーネント９１２は、パラメトリックコンポーネント９３０が環境コンテンツを受け取るのを容易にすることができる。パラメトリックコンポーネント９３０を、動的に適合された広告コンテンツを見せる地域の少なくとも１つのパラメータ値を判定するために環境コンテンツを解析するように構成することができる。
【手続補正３】
【補正対象書類名】明細書
【補正対象項目名】００５１
【補正方法】変更
【補正の内容】
【００５１】
図１０は、本開示の少なくともいくつかの態様による、プライバシおよびコンプライアンスコンポーネントを含む動的広告コンテンツ選択システム１０００の例の非限定的な実施形態のブロック図である。システム１０００は、パラメトリックコンポーネント１０３０に通信的に結合できる、環境キャプチャコンポーネント１０１０およびオブジェクト識別コンポーネント１０２０を含むことができる。環境キャプチャコンポーネント１０１０は、環境キャプチャコンポーネント６１０と同一またはこれに類似するものとすることができる。オブジェクト識別コンポーネント１０２０は、オブジェクト識別コンポーネント６２０と同一またはこれに類似するものとすることができる。パラメトリックコンポーネント１０３０を、関心アナライザコンポーネント１０４０およびパラメータデータストア１０３２に通信的に結合することができる。パラメトリックコンポーネント１０３０は、パラメトリックコンポーネント６３０と同一またはこれに類似するものとすることができる。関心アナライザコンポーネント１０４０は、関心アナライザ６４０と同一またはこれに類似するものとすることができる。パラメータデータストア１０３２は、パラメータデータストア７３２と同一またはこれに類似するものとすることができる。
【手続補正４】
【補正対象書類名】特許請求の範囲
【補正対象項目名】全文
【補正方法】変更
【補正の内容】
【特許請求の範囲】
【請求項１】
少なくとも１つのコンピューティングデバイスによって、ターゲット広告ゾーンの少なくとも第１部分に関連するターゲット知覚コンテンツを受け取ること、
前記少なくとも１つのコンピューティングデバイスによって、前記ターゲット広告ゾーンの少なくとも第２部分に関連する少なくとも１つのオブジェクトに関連する識別情報を受け取ること、
前記ターゲット広告ゾーンの少なくとも１つの特徴の少なくとも１つの値を判定することを含めて、前記ターゲット知覚コンテンツおよび前記識別情報を解析すること、
前記少なくとも１つの特徴の前記少なくとも１つの値が所定の関数の条件を満足したことに応答して、広告コンテンツのセットから広告コンテンツのサブセットを判定すること
を含む方法。
【請求項２】
前記ターゲット知覚コンテンツを受け取ることは、前記ターゲット広告ゾーンの少なくとも前記第１部分のイメージコンテンツを受け取ることを含む、請求項１に記載の方法。
【請求項３】
前記解析することは、前記少なくとも１つの特徴の前記少なくとも１つの値の関数として人間ではない動物を識別することまたは分類することを含む、請求項１に記載の方法。
【請求項４】
前記解析することは、前記少なくとも１つの特徴の前記少なくとも１つの値の関数として人間を識別することまたは分類することを含む、請求項１に記載の方法。
【請求項５】
前記解析することは、前記ターゲット広告ゾーン内の複数のエンティティについて、前記複数のエンティティを伴わない前記ターゲット広告ゾーンの定義されたベースラインコンテンツ内に存在しない前記少なくとも１つの特徴の前記少なくとも１つの値を判定するために解析することを含む、請求項１に記載の方法。
【請求項６】
前記ターゲット広告ゾーンの少なくとも前記第１部分に関連する前記ターゲット知覚コンテンツを受け取ることは、前記ターゲット広告ゾーンの少なくとも前記第１部分のオーディオコンテンツを受け取ることを含む、請求項１に記載の方法。
【請求項７】
少なくとも１つのオブジェクトに関連する前記識別情報を受け取ることは、ＲＦＩＤタグ、バーコード、マトリックスコード、多次元バーコード、加入者識別モジュール、拡張加入者識別モジュール、媒体アクセス制御アドレス、インターネットプロトコルアドレス、電子メールアドレス、またはメンバネットワーキングサービスのソーシャルグループに関連するユーザ名のうちの少なくとも１つを受け取ることを含む、請求項１に記載の方法。
【請求項８】
前記識別情報を受け取ることは、オブジェクト情報を受け取ること、製品情報を受け取ること、インターネット検索履歴を受け取ること、個人プロファイルを受け取ること、個人プリファレンスを受け取ること、人口統計情報を受け取ること、購入履歴を受け取ること、広告応答履歴を受け取ること、プロビジョニング情報を受け取ること、または個人スケジュール情報を受け取ることのうちの少なくとも１つを含む、請求項１に記載の方法。
【請求項９】
前記解析することは、前記ターゲット広告ゾーンの個人に関係する人口統計情報を判定すること、前記ターゲット広告ゾーンの個人の購入プリファレンスを判定すること、または前記ターゲット広告ゾーンの個人の履歴上の広告応答を判定することのうちの少なくとも１つを含む、請求項１に記載の方法。
【請求項１０】
前記識別情報を受け取ることは、前記ターゲット広告ゾーンの前記第１部分とは異なる前記ターゲット広告ゾーンの前記第２部分に関連する前記少なくとも１つのオブジェクトに関連する前記識別情報を受け取ることを含む、請求項１に記載の方法。
【請求項１１】
前記識別情報を受け取ることは、前記ターゲット広告ゾーンの前記第１部分とオーバーラップしない前記ターゲット広告ゾーンの部分に関連する前記少なくとも１つのオブジェクトに関連する前記識別情報を受け取ることを含む、請求項１に記載の方法。
【請求項１２】
広告コンテンツの前記サブセットを判定することは、前記ターゲット広告ゾーンまたはその付近にいることによって広告コンテンツを消費する位置にいる、前記ターゲット知覚コンテンツを解析することによって識別される少なくとも１人の個人に関連する所定のルールを満足する広告コンテンツを選択することをさらに含む、請求項１に記載の方法。
【請求項１３】
動的に適合された広告コンテンツを見せる地域の少なくとも第１部分に関連する環境コンテンツを受け取るように構成された環境キャプチャコンポーネントと、
前記地域の少なくとも第２部分またはその付近の少なくとも１つのオブジェクト識別子に関連するオブジェクト情報を受け取るように構成されたオブジェクト識別コンポーネントと、
前記地域のパラメータのセットの少なくとも１つのパラメータ値を判定するために前記環境コンテンツおよびオブジェクト情報を解析するように構成されたパラメトリックコンポーネントと、
前記少なくとも１つのパラメータ値が所定のルールの条件を満足したことに応答して、広告コンテンツのセットから広告コンテンツのサブセットを判定するように構成された関心アナライザコンポーネントと
を含むシステム。
【請求項１４】
広告コンテンツの前記サブセットを提示するように構成されたプレゼンテーションインターフェースコンポーネントをさらに含む、請求項１３に記載のシステム。
【請求項１５】
前記プレゼンテーションインターフェースコンポーネントは、イメージインターフェース、ビデオインターフェース、オーディオインターフェース、触覚インターフェース、または嗅覚インターフェースを含む、請求項１４に記載のシステム。
【請求項１６】
前記環境キャプチャコンポーネントは、スチールカメラ、ビデオカメラ、またはビデオフレームキャプチャコンポーネントを含む、請求項１３に記載のシステム。
【請求項１７】
前記環境キャプチャコンポーネントは、外部マイクロホン、マイクロホンの指向性アレイ、ビデオカメラに付随するマイクロホン、モバイル通信デバイスマイクロホン、またはモバイルコンピューティングデバイスマイクロホンを含む、請求項１３に記載のシステム。
【請求項１８】
前記オブジェクト識別コンポーネントは、ＲＦＩＤリーダ、バーコードリーダ、マトリックスコードリーダ、多次元バーコードリーダ、加入者識別モジュールリーダ、拡張加入者識別モジュールリーダ、媒体アクセス制御アドレスリーダ、インターネットプロトコルアドレスリーダ、電子メールアドレスリーダ、またはメンバネットワーキングサービスのソーシャルグループに関連するユーザ名のリーダのうちの少なくとも１つを含む、請求項１３に記載のシステム。
【請求項１９】
前記パラメトリックコンポーネントは、前記少なくとも１つのパラメータ値を判定するために視覚凝視解析を実行するように構成される、請求項１３に記載のシステム。
【請求項２０】
前記パラメトリックコンポーネントは、前記地域に近接して位置する少なくとも１人の個人のアイデンティティに収束するように構成される、請求項１３に記載のシステム。
【請求項２１】
前記パラメトリックコンポーネントは、前記地域に近接して位置する少なくとも１人の個人の少なくとも１つの知覚パラメータ値の判定において容易にするために、前記地域からのオーディオ入力に関連する言語、前記言語の方言、前記オーディオ入力に関連するストレスレベル、前記オーディオ入力の音量、または前記オーディオ入力に関連する方向のうちの少なくとも１つを判定するように構成される、請求項１３に記載のシステム。
【請求項２２】
前記関心アナライザコンポーネントは、広告コンテンツの前記サブセットに関する少なくとも１つの広告の選択を容易にするために、広告データストアから少なくとも１つの広告特徴値を受け取り、前記少なくとも１つのパラメータ値の少なくともサブセットおよび前記少なくとも１つの広告特徴値の少なくともサブセットの比較を実行するように構成され、前記比較の結果は、少なくとも１つの所定の関数を満足する、請求項１３に記載のシステム。
【請求項２３】
前記地域内で識別されるオブジェクトの年齢、前記地域内で識別されるオブジェクトの保護されたクラス、前記地域内で識別されるオブジェクトの所定の匿名性パラメータ、または許容できる広告コンテンツを定義する少なくとも１つのルールに関する前記地域内で識別されるオブジェクトによる準拠の関数として広告コンテンツの前記サブセットを制限するように構成されたプライバシおよびコンプライアンスコンポーネントをさらに含む、請求項１３に記載のシステム。
【請求項２４】
前記パラメトリックコンポーネントは、分散コンピューティング環境内の複数のコンピュータにまたがって分散される、請求項１６に記載のシステム。
【請求項２５】
前記関心アナライザコンポーネントは、分散コンピューティング環境内の複数のコンピュータにまたがって分散される、請求項１３に記載のシステム。
【請求項２６】
実行に応答して、コンピューティングデバイスに、
広告コンテンツの消費に関連する広告スペースの少なくとも第１部分に関連するオーディオコンテンツまたはビジュアルコンテンツのうちの少なくとも１つを受け取る動作と、
前記広告スペースの少なくとも第２部分に関連する少なくとも１つの識別子に関連する品目情報を受け取る動作と、
前記広告スペースの少なくとも１つの特徴を判定することを含めて、前記オーディオコンテンツまたは前記ビジュアルコンテンツのうちの前記少なくとも１つと前記品目情報とを解析する動作と、
前記少なくとも１つの特徴に基づいて広告コンテンツのセットから広告コンテンツのサブセットセットを判定する動作と
を実行させるコンピュータ実行可能命令が格納されたコンピュータ可読記憶媒体。
【請求項２７】
広告コンテンツを消費することに関連する広告区域またはその付近の少なくとも個人に関連するオーディオコンテンツまたはイメージコンテンツのうちの少なくとも１つを受け取る手段と、
前記広告区域またはその付近の少なくとも１つの識別子に関連するオブジェクト情報を受け取る手段と、
前記広告区域の少なくとも１つの特徴を判定することを含めて、前記オーディオコンテンツまたは前記イメージコンテンツのうちの前記少なくとも１つと前記オブジェクト情報とを解析する手段と、
前記少なくとも１つの特徴に基づいて広告コンテンツのセットから広告コンテンツのサブセットを判定する手段と
を含むシステム。
【国際調査報告】
2013522805.tif 000021